(57)【要約】【課題】本発明はカップ転写プレス機を開示した。【解決手段】本発明はカップ転写プレス機を開示し、転写箱及び前記転写箱に設置されるカップチャンバを含み、前記カップチャンバの中にはカップ送り装置が設置されており、前記カップ送り装置の中にはカップが置かれ、前記転写箱の中には挟みチャンバが設置されており、前記挟みチャンバの中には挟み装置が設置されており、本装置の機構が簡単で、便利に使用され、実現できる功能部分はほとんど機械結構を採用して実現し、安定性が高くて、修理に便利で、企業の購入費用を削減でき、それに、異なったカップスリーブを変換して異なったタイプのカップを適応させ、一機多用を実現し、企業の製品の多様化に有利的である。【選択図】図１
2020179931.tif 000002
【特許請求の範囲】
【請求項１】
正面視で、転写箱及び前記転写箱に設置されるカップチャンバを含み、前記カップチャンバの中にはカップ送り装置が設置されており、前記カップ送り装置の中にはカップが置かれ、前記転写箱の中には挟みチャンバが設置されており、前記挟みチャンバの中には挟み装置が設置されており、前記挟み装置の中には上下に運動できるネジ山ブロックが設置されており、前記転写箱の中には入替えチャンバが設置されており、前記入替えチャンバの中には入替え装置が設置されており、前記入替え装置の中には前記カップと係合されるカップスリーブが設置されており、前記入替え装置の中には前記カップを吸う吸着装置が設置されており、前記転写箱の中には転写チャンバが設置されており、前記転写チャンバの中には転写装置が設置されており、前記転写装置は前記入替え装置と係合されて前記カップに転写を行うことができ、前記転写箱の中には動力チャンバが設置されており、前記動力チャンバの中には動力装置が設置されており、前記動力装置は前記挟み装置と前記入替え装置と係合され、前記転写箱の中にはカップ送出チャンバが設置されており、前記カップ送出チャンバの中にはカップ送出装置が設置されており、前記カップ送出装置は前記前記入替え装置と係合されて転写済みの前記カップを前記入替え装置から離脱させることができることを特徴とするカップ転写プレス機。
【請求項２】
前記カップ送出装置は前記カップチャンバの左壁にスライドできるように設置されるカップ置き板を含み、前記カップ置き板の下端面と前記カップ置きチャンバの底壁との間が撥条によって固定的に連結され、前記転写箱の中には前記カップ置きチャンバの下側に位置するチャンバが設置されており、前記チャンバの頂壁には第一回転軸が回転できるように設置されており、前記第一回転軸には第一プーリが固定的に設置されており、前記第一回転軸の下端には第一傘歯車が固定的に設置されており、前記チャンバの底壁のうち上に伸びている壁体の中にはスプライン軸が回転できるように設置されており、前記チャンバの底壁には前記スプライン軸と係合される歯止めが設置されており、前記スプライン軸は歯止めに制限されて前記動力装置が反転するときにしか回転しなく、前記スプライン軸の左端には前記第一傘歯車に噛合する第二傘歯車が固定的に設置されており、前記チャンバの底壁には復帰棒がスライドできるように設置されており、前記復帰棒の左端面にはリールが回転できるように設置されており、前記リールにはワイヤーが周設されており、前記リールの左側は前記スプライン軸の右側のスプラインと係合され、前記復帰棒が上へ伸びており、前記復帰棒の左端面には左端が前記カップ置きチャンバに伸びている下切替棒が固定的に設置されており、前記カップ置きチャンバの中には前記下切替棒の上端面に固定的に連結され、且つ前記カップ置き板と係合できる下傾斜ブロックが設置されており、前記復帰棒の上端の左側が前記カップ置きチャンバの中に伸びており、且つ前記カップ置き板と係合でき、前記ワイヤーが上へ伸びて糸巻きチャンバを通して前記カップ置きチャンバの中に伸びて前記カップ置き板の上端面に固定的に連結されることを特徴とする請求項１に記載のカップ転写プレス機。
【請求項３】
前記動力装置は前記動力チャンバの頂壁に固定的に設置されるモーターを含み、前記モーターの下端には主動軸が伝動できるように連結され、前記転写箱の中には前記動力チャンバの下側に位置する伝動チャンバが設置されており、前記主動軸の下側が前記伝動チャンバの中に伸びており、前記動力チャンバの頂壁には係合軸が回転できるように設置されており、前記係合軸には第二プーリが固定的に設置されており、前記動力チャンバの中には前記主動軸に固定的に連結され、且つ前記第二ベルトによって前記第二プーリに連結される第三プーリが設置されており、前記動力チャンバの底壁には一方回転軸が回転できるように設置されており、前記一方回転軸の上端と前記係合軸との間が円盤状ラチェットによって係合され、前記伝動チャンバの中には前記一方回転軸の下端に固定的に連結される第三傘歯車が設置されることを特徴とする請求項１に記載のカップ転写プレス機。
【請求項４】
前記挟み装置は前記挟みチャンバの後壁に左右対称的に設置される第一スライド溝を含み、前記第一スライド溝の底壁には上端が前記伝動チャンバの中に伸びているリードスクリューが回転できるように設置されており、左右の前記リードスクリューの間は、前記リードスクリューの上端に固定的に設置され、且つ前記伝動チャンバの中に位置するタイミングベルト機構によって係合され、前記主動軸の下端が左側の前記リードスクリューの上端に固定的に連結されており、前記第一スライド溝の中には前記リードスクリューとネジ山によって係合されるネジ山ブロックがスライドできるように設置されており、前記ネジ山ブロックの左右端面には中心対称的に係合傾斜ブロックが固定的に設置されており、前記挟みチャンバの頂壁には第二スライド溝が左右対称的に設置されており、前記第二スライド溝の中にはスライド棒がスライドできるように設置されており、前記スライド棒のうち互いに近接する一端には係合棒が固定的に設置されており、前記スライド棒の下端面には上切替棒が固定的に設置されており、前記上切替棒の相対する端面には上斜めブロックが固定的に設置されており、前記スライド棒の下端面には左右の前記上切替棒の間に位置する下切替棒が固定的に設置されており、前記下切替棒のうち互いに離れている端面には第一傾斜ブロックが固定的に設置され、
左側の前記第二スライド溝の左右壁には前記モーターに電気的に係合される感応スイッチが固定的に設置されており、前記係合棒の中には第三スライド溝が設置されており、前記第三スライド溝の中には第一スライドブロックがスライドできるように設置されており、前記第一スライドブロックの中にはスライドチャンバが設置されており、前記ネジ山ブロックのうち相対する端面には前記スライドチャンバの中に伸びており、且つ前記スライドチャンバにスライドできるように係合される連動棒が固定的に設置されており、前記第一スライドブロックの中には前に開口するヒンジ棒スライドチャンバが設置されており、前記ヒンジ棒スライドチャンバの中にはヒンジ棒が設置されており、左右の前記ヒンジ棒が前記ヒンジ軸によってヒンジで連結されることを特徴とする請求項１に記載のカップ転写プレス機。
【請求項５】
前記入替え装置は前記伝動チャンバの壁体の中に回転できるように設置され、且つ右端が前記入替えチャンバの中に伸びている入替え軸を含み、前記伝動チャンバの左壁には第二回転軸が回転できるように設置されており、前記第二回転軸には前記第三傘歯車と噛み合う第四傘歯車が固定的に設置されており、前記第二回転軸には第三ベルトによって前記第一プーリに連結される第四プーリが固定的に設置されており、前記第二回転軸の右端には変速ギヤが固定的に設けられ、前記伝動チャンバの中には前記入替え軸に固定的に連結され、且つ前記変速ギヤと噛み合う入替え歯車が設置されており、前記入替えチャンバの中には前記入替え軸の右端に固定的に連結される入替え盤が設置されており、前記入替え盤の外円面には四つの入替え棒が回転できるように設置されており、前記入替え棒の一端には前記吸着装置が固定的に設置されることを特徴とする請求項１に記載のカップ転写プレス機。
【請求項６】
前記転写装置は前記転写チャンバの右壁に固定的に設置される転写ブロックを含むことを特徴とする請求項１に記載のカップ転写プレス機。
【請求項７】
前記カップ送出装置は前記入替えチャンバの前側に設置され、且つ前記入替えチャンバに連通する前記カップ送出チャンバを含み、前記カップ送出チャンバの前壁には後端が外界に伸びているカップ送出パイプが固定的に設置されており、前記カップ送出パイプの中にはカップ送出パイプチャンバが設置されており、前記カップ送出チャンバの底壁には第四スライド溝が設置されており、前記第四溝の中にはカップ送出スライド棒がスライドできるように設置されており、前記カップ送出スライド棒の後端面にはラックが固定的に設置されており、前記カップ送出チャンバの左右壁の間には第三回転軸が回転できるように設置されており、前記第三回転軸には第二ベルトによって前記第三プーリに連結される第五プーリが固定的に設置されており、前記第三回転軸には前記第五プーリの左側に位置し、且つ前記ラックに噛合する第一扇型歯車が固定的に設置されており、前記カップ送出パイプチャンバの左右壁には第五スライド溝が対称的に設置されており、前記第五スライド溝の中には前記カップ送出チャンバの中に伸びている弾き棒がスライドできるように設置されており、前記弾き棒と前記第五スライド溝の前壁との間が復帰撥条によって連結され、前記弾き棒の前端面には連結棒が固定的に設置されており、左右の前記連結棒の前端が中間棒によって連結され、前記中間棒の下端面には伝動棒が固定的に設置されており、前記伝動棒の下端が前記ラックの上端面に固定的に連結されることを特徴とする請求項１に記載のカップ転写プレス機。
【発明の詳細な説明】
【技術分野】
【０００１】
本発明はサイクリングマスクの分野を取り上げて、具体的にはカップ転写プレス機である。
【背景技術】
【０００２】
伝統的なカップ転写プレス機の結構は複雑で、その中には大量な電子部品が使用され、安定性が悪く、修理しにくい、尚、伝統的なカップ転写プレス機は異なったサイズのカップを加工しにくい問題が存在し、上記欠点に対して、本装置を提出した。
【先行技術文献】
【特許文献】
【０００３】
【特許文献１】中国特許出願公開第１０７１８７１９２号明細書
【発明の概要】
【発明が解決しようとする課題】
【０００４】
上記技術の不足に対して、本発明はカップ転写プレス機を提出し、上記欠点を克服できる。
【課題を解決するための手段】
【０００５】
本発明はカップ転写プレス機であり、転写箱及び前記転写箱に設置されるカップチャンバを含み、前記カップチャンバの中にはカップ送り装置が設置されており、前記カップ送り装置の中にはカップが置かれ、前記転写箱の中には挟みチャンバが設置されており、前記挟みチャンバの中には挟み装置が設置されており、前記挟み装置の中には上下に運動できるネジ山ブロックが設置されており、前記転写箱の中には入替えチャンバが設置されており、前記入替えチャンバの中には入替え装置が設置されており、前記入替え装置の中には前記カップと係合されるカップスリーブが設置されており、前記入替え装置の中には前記カップを吸う吸着装置が設置されており、前記転写箱の中には転写チャンバが設置されており、前記転写チャンバの中には転写装置が設置されており、前記転写装置は前記入替え装置と係合されて前記カップに転写を行うことができ、前記転写箱の中には動力チャンバが設置されており、前記動力チャンバの中には動力装置が設置されており、前記動力装置は前記挟み装置と前記入替え装置と係合され、前記転写箱の中にはカップ送出チャンバが設置されており、前記カップ送出チャンバの中にはカップ送出装置が設置されており、前記カップ送出装置は前記前記入替え装置と係合されて転写済みの前記カップを前記入替え装置から離脱させることができる。
【０００６】
更なる技術方案、前記カップ送出装置は前記カップチャンバの左壁にスライドできるように設置されるカップ置き板を含み、前記カップ置き板の下端面と前記カップ置きチャンバの底壁との間が撥条によって固定的に連結され、前記転写箱の中には前記カップ置きチャンバの下側に位置するチャンバが設置されており、前記チャンバの頂壁には第一回転軸が回転できるように設置されており、前記第一回転軸には第一プーリが固定的に設置されており、前記第一回転軸の下端には第一傘歯車が固定的に設置されており、前記チャンバの底壁のうち上に伸びている壁体の中にはスプライン軸が回転できるように設置されており、前記チャンバの底壁には前記スプライン軸と係合される歯止めが設置されており、前記スプライン軸は歯止めに制限されて前記動力装置が反転するときにしか回転しなく、前記スプライン軸の左端には前記第一傘歯車に噛合する第二傘歯車が固定的に設置されており、前記チャンバの底壁には復帰棒がスライドできるように設置されており、前記復帰棒の左端面にはリールが回転できるように設置されており、前記リールにはワイヤーが周設されており、前記リールの左側は前記スプライン軸の右側のスプラインと係合され、前記復帰棒が上へ伸びており、前記復帰棒の左端面には左端が前記カップ置きチャンバに伸びている下切替棒が固定的に設置されており、前記カップ置きチャンバの中には前記下切替棒の上端面に固定的に連結され、且つ前記カップ置き板と係合できる下傾斜ブロックが設置されており、前記復帰棒の上端の左側が前記カップ置きチャンバの中に伸びており、且つ前記カップ置き板と係合でき、前記ワイヤーが上へ伸びて糸巻きチャンバを通して前記カップ置きチャンバの中に伸びて前記カップ置き板の上端面に固定的に連結される。
【０００７】
更なる技術方案、前記動力装置は前記動力チャンバの頂壁に固定的に設置されるモーターを含み、前記モーターの下端には主動軸が伝動できるように連結され、前記転写箱の中には前記動力チャンバの下側に位置する伝動チャンバが設置されており、前記主動軸の下側が前記伝動チャンバの中に伸びており、前記動力チャンバの頂壁には係合軸が回転できるように設置されており、前記係合軸には第二プーリが固定的に設置されており、前記動力チャンバの中には前記主動軸に固定的に連結され、且つ前記第二ベルトによって前記第二プーリに連結される第三プーリが設置されており、前記動力チャンバの底壁には一方回転軸が回転できるように設置されており、前記一方回転軸の上端と前記係合軸との間が円盤状ラチェットによって係合され、前記伝動チャンバの中には前記一方回転軸の下端に固定的に連結される第三傘歯車が設置される。
【０００８】
更なる技術方案、前記挟み装置は前記挟みチャンバの後壁に左右対称的に設置される第一スライド溝を含み、前記第一スライド溝の底壁には上端が前記伝動チャンバの中に伸びているリードスクリューが回転できるように設置されており、左右の前記リードスクリューの間は、前記リードスクリューの上端に固定的に設置され、且つ前記伝動チャンバの中に位置するタイミングベルト機構によって係合され、前記主動軸の下端が左側の前記リードスクリューの上端に固定的に連結されており、前記第一スライド溝の中には前記リードスクリューとネジ山によって係合されるネジ山ブロックがスライドできるように設置されており、前記ネジ山ブロックの左右端面には中心対称的に係合傾斜ブロックが固定的に設置されており、前記挟みチャンバの頂壁には第二スライド溝が左右対称的に設置されており、前記第二スライド溝の中にはスライド棒がスライドできるように設置されており、前記スライド棒のうち互いに近接する一端には係合棒が固定的に設置されており、前記スライド棒の下端面には上切替棒が固定的に設置されており、前記上切替棒の相対する端面には上斜めブロックが固定的に設置されており、前記スライド棒の下端面には左右の前記上切替棒の間に位置する下切替棒が固定的に設置されており、前記下切替棒のうち互いに離れている端面には第一傾斜ブロックが固定的に設置され、
左側の前記第二スライド溝の左右壁には前記モーターに電気的に係合される感応スイッチが固定的に設置されており、前記係合棒の中には第三スライド溝が設置されており、前記第三スライド溝の中には第一スライドブロックがスライドできるように設置されており、前記第一スライドブロックの中にはスライドチャンバが設置されており、前記ネジ山ブロックのうち相対する端面には前記スライドチャンバの中に伸びており、且つ前記スライドチャンバにスライドできるように係合される連動棒が固定的に設置されており、前記第一スライドブロックの中には前に開口するヒンジ棒スライドチャンバが設置されており、前記ヒンジ棒スライドチャンバの中にはヒンジ棒が設置されており、左右の前記ヒンジ棒が前記ヒンジ軸によってヒンジで連結される。
【０００９】
更なる技術方案、前記入替え装置は前記伝動チャンバの壁体の中に回転できるように設置され、且つ右端が前記入替えチャンバの中に伸びている入替え軸を含み、前記伝動チャンバの左壁には第二回転軸が回転できるように設置されており、前記第二回転軸には前記第三傘歯車と噛み合う第四傘歯車が固定的に設置されており、前記第二回転軸には第三ベルトによって前記第一プーリに連結される第四プーリが固定的に設置されており、前記第二回転軸の右端には変速ギヤが固定的に設けられ、前記伝動チャンバの中には前記入替え軸に固定的に連結され、且つ前記変速ギヤと噛み合う入替え歯車が設置されており、前記入替えチャンバの中には前記入替え軸の右端に固定的に連結される入替え盤が設置されており、前記入替え盤の外円面には四つの入替え棒が回転できるように設置されており、前記入替え棒の一端には前記吸着装置が固定的に設置される。
【００１０】
更なる技術方案、前記転写装置は前記転写チャンバの右壁に固定的に設置される転写ブロックを含む。
【００１１】
更なる技術方案、前記カップ送出装置は前記入替えチャンバの前側に設置され、且つ前記入替えチャンバに連通する前記カップ送出チャンバを含み、前記カップ送出チャンバの前壁には後端が外界に伸びているカップ送出パイプが固定的に設置されており、前記カップ送出パイプの中にはカップ送出パイプチャンバが設置されており、前記カップ送出チャンバの底壁には第四スライド溝が設置されており、前記第四溝の中にはカップ送出スライド棒がスライドできるように設置されており、前記カップ送出スライド棒の後端面にはラックが固定的に設置されており、前記カップ送出チャンバの左右壁の間には第三回転軸が回転できるように設置されており、前記第三回転軸には第二ベルトによって前記第三プーリに連結される第五プーリが固定的に設置されており、前記第三回転軸には前記第五プーリの左側に位置し、且つ前記ラックに噛合する第一扇型歯車が固定的に設置されており、前記カップ送出パイプチャンバの左右壁には第五スライド溝が対称的に設置されており、前記第五スライド溝の中には前記カップ送出チャンバの中に伸びている弾き棒がスライドできるように設置されており、前記弾き棒と前記第五スライド溝の前壁との間が復帰撥条によって連結され、前記弾き棒の前端面には連結棒が固定的に設置されており、左右の前記連結棒の前端が中間棒によって連結され、前記中間棒の下端面には伝動棒が固定的に設置されており、前記伝動棒の下端が前記ラックの上端面に固定的に連結される。
【発明の効果】
【００１２】
本発明の有益な効果は下記の通りである：
【００１３】
本装置の機構が簡単で、便利に使用され、実現できる功能部分はほとんど機械結構を採用して実現し、安定性が高くて、修理に便利で、企業の購入費用を削減でき、それに、異なったカップスリーブを変換して異なったタイプのカップを適応させ、一機多用を実現し、企業の製品の多様化に有利的である。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【図１】図１は本発明のカップ転写プレス機の全体構成模式図
【図２】図２は図１のＡーＡの構成模式図
【図３】図３は図１のＢーＢの構成模式図
【図４】図４は図３のＣーＣの構成模式図
【図５】図５は図１のＤの構成模式図
【発明を実施するための形態】
【００１５】
図１〜５に示すように、本発明はカップ転写プレス機であり、転写箱１０及び前記転写箱２０に設置されるカップチャンバ４９を含み、前記カップチャンバ４９の中にはカップ送り装置１００が設置されており、前記カップ送り装置１００の中にはカップ５０が置かれ、前記転写箱１０の中には挟みチャンバ１１が設置されており、前記挟みチャンバ１１の中には挟み装置３００が設置されており、前記挟み装置３００の中には上下に運動できるネジ山ブロック５３が設置されており、前記転写箱１０の中には入替えチャンバ４５が設置されており、前記入替えチャンバ４５の中には入替え装置４００が設置されており、前記入替え装置４００の中には前記カップ５０と係合されるカップスリーブ３９が設置されており、前記入替え装置４００の中には前記カップ５０を吸う吸着装置４０が設置されており、前記転写箱１０の中には転写チャンバ４１が設置されており、前記転写チャンバ４１の中には転写装置５００が設置されており、前記転写装置５００は前記入替え装置４００と係合されて前記カップ５０に転写を行うことができ、前記転写箱１０の中には動力チャンバ３７が設置されており、前記動力チャンバ３７の中には動力装置２００が設置されており、前記動力装置２００は前記挟み装置３００と前記入替え装置４００と係合され、前記転写箱１０の中にはカップ送出チャンバ６１が設置されており、前記カップ送出チャンバ６１の中にはカップ送出装置６００が設置されており、前記カップ送出装置６００は前記前記入替え装置４００と係合されて転写済みの前記カップ５０を前記入替え装置４００から離脱させることができる。
【００１６】
有益なように、前記カップ送出装置１００は前記カップチャンバ４９の左壁にスライドできるように設置されるカップ置き板７５を含み、前記カップ置き板７５の下端面と前記カップ置きチャンバ４９の底壁との間が撥条７６によって固定的に連結され、前記転写箱１０の中には前記カップ置きチャンバ４９の下側に位置するチャンバ７９が設置されており、前記チャンバ７９の頂壁には第一回転軸７７が回転できるように設置されており、前記第一回転軸７７には第一プーリ７８が固定的に設置されており、前記第一回転軸７７の下端には第一傘歯車８０が固定的に設置されており、前記チャンバ７９の底壁のうち上に伸びている壁体の中にはスプライン軸８２が回転できるように設置されており、前記チャンバ７９の底壁には前記スプライン軸８２と係合される歯止め８７が設置されており、前記スプライン軸８２は歯止め８７に制限されて前記動力装置２００が反転するときにしか回転しなく、前記スプライン軸８２の左端には前記第一傘歯車８０に噛合する第二傘歯車８１が固定的に設置されており、前記チャンバ７９の底壁には復帰棒８４がスライドできるように設置されており、前記復帰棒８４の左端面にはリール８３が回転できるように設置されており、前記リール８３にはワイヤーが周設されており、前記リール８３の左側は前記スプライン軸８２の右側のスプラインと係合され、前記復帰棒８４が上へ伸びており、前記復帰棒８４の左端面には左端が前記カップ置きチャンバ４９に伸びている下切替棒８５が固定的に設置されており、前記カップ置きチャンバ４９の中には前記下切替棒８５の上端面に固定的に連結され、且つ前記カップ置き板７５と係合できる下傾斜ブロック８６が設置されており、前記復帰棒８４の上端の左側が前記カップ置きチャンバ４９の中に伸びており、且つ前記カップ置き板７５と係合でき、前記ワイヤーが上へ伸びて糸巻きチャンバ４８を通して前記カップ置きチャンバ４９の中に伸びて前記カップ置き板７５の上端面に固定的に連結される。
【００１７】
有益なように、前記動力装置２００は前記動力チャンバ３７の頂壁に固定的に設置されるモーター１９を含み、前記モーター１９の下端には主動軸１７が伝動できるように連結され、前記転写箱１０の中には前記動力チャンバ３７の下側に位置する伝動チャンバ１５が設置されており、前記主動軸１７の下側が前記伝動チャンバ１５の中に伸びており、前記動力チャンバ３７の頂壁には係合軸３８が回転できるように設置されており、前記係合軸３８には第二プーリ３３が固定的に設置されており、前記動力チャンバ３７の中には前記主動軸１７に固定的に連結され、且つ前記第二ベルト９０によって前記第二プーリ３３に連結される第三プーリ１８が設置されており、前記動力チャンバ３７の底壁には一方回転軸３６が回転できるように設置されており、前記一方回転軸３６の上端と前記係合軸３８との間が円盤状ラチェット３２によって係合され、前記伝動チャンバ１５の中には前記一方回転軸３６の下端に固定的に連結される第三傘歯車３５が設置される。
【００１８】
有益なように、前記挟み装置３００は前記挟みチャンバ１１の後壁に左右対称的に設置される第一スライド溝２０を含み、前記第一スライド溝２０の底壁には上端が前記伝動チャンバ１５の中に伸びているリードスクリュー２１が回転できるように設置されており、左右の前記リードスクリュー２１の間は、前記リードスクリュー２１の上端に固定的に設置され、且つ前記伝動チャンバ１５の中に位置するタイミングベルト機構によって係合され、前記主動軸１７の下端が左側の前記リードスクリュー２１の上端に固定的に連結されており、前記第一スライド溝２０の中には前記リードスクリュー２１とネジ山によって係合されるネジ山ブロック５３がスライドできるように設置されており、前記ネジ山ブロック５３の左右端面には中心対称的に係合傾斜ブロック５４が固定的に設置されており、前記挟みチャンバ１１の頂壁には第二スライド溝２３が左右対称的に設置されており、前記第二スライド溝の中にはスライド棒１３がスライドできるように設置されており、前記スライド棒１３のうち互いに近接する一端には係合棒２６が固定的に設置されており、前記スライド棒１３の下端面には上切替棒１２が固定的に設置されており、前記上切替棒１２の相対する端面には上斜めブロック２２が固定的に設置されており、前記スライド棒１３の下端面には左右の前記上切替棒１２の間に位置する下切替棒５２が固定的に設置されており、前記下切替棒５２のうち互いに離れている端面には第一傾斜ブロック２４が固定的に設置され、
左側の前記第二スライド溝２３の左右壁には前記モーター１９に電気的に係合される感応スイッチ１４が固定的に設置されており、前記係合棒２６の中には第三スライド溝２５が設置されており、前記第三スライド溝２５の中には第一スライドブロック２７がスライドできるように設置されており、前記第一スライドブロック２７の中にはスライドチャンバ６０が設置されており、前記ネジ山ブロック５３のうち相対する端面には前記スライドチャンバ６０の中に伸びており、且つ前記スライドチャンバ６０にスライドできるように係合される連動棒５９が固定的に設置されており、前記第一スライドブロック２７の中には前に開口するヒンジ棒スライドチャンバ５８が設置されており、前記ヒンジ棒スライドチャンバ５８の中にはヒンジ棒５５が設置されており、左右の前記ヒンジ棒５５が前記ヒンジ軸によってヒンジで連結される。
【００１９】
有益なように、前記入替え装置４００は前記伝動チャンバ１５の壁体の中に回転できるように設置され、且つ右端が前記入替えチャンバ４５の中に伸びている入替え軸２９を含み、前記伝動チャンバ１５の左壁には第二回転軸１６が回転できるように設置されており、前記第二回転軸１６には前記第三傘歯車３５と噛み合う第四傘歯車３４が固定的に設置されており、前記第二回転軸１６には第三ベルト９３によって前記第一プーリ７８に連結される第四プーリ３１が固定的に設置されており、前記第二回転軸１６の右端には変速ギヤ４３が固定的に設けられ、前記伝動チャンバ１５の中には前記入替え軸２９に固定的に連結され、且つ前記変速ギヤ４３と噛み合う入替え歯車２８が設置されており、前記入替えチャンバ４５の中には前記入替え軸２９の右端に固定的に連結される入替え盤３０が設置されており、前記入替え盤３０の外円面には四つの入替え棒４４が回転できるように設置されており、前記入替え棒４４の一端には前記吸着装置４０が固定的に設置される。
【００２０】
有益なように、前記転写装置５００は前記転写チャンバ４１の右壁に固定的に設置される転写ブロック４２を含む。
【００２１】
有益なように、前記カップ送出装置６００は前記入替えチャンバ４５の前側に設置され、且つ前記入替えチャンバ４５に連通する前記カップ送出チャンバ６１を含み、前記カップ送出チャンバ６１の前壁には後端が外界に伸びているカップ送出パイプ６２が固定的に設置されており、前記カップ送出パイプ６２の中にはカップ送出パイプチャンバ６３が設置されており、前記カップ送出チャンバ６１の底壁には第四スライド溝６８が設置されており、前記第四溝６８の中にはカップ送出スライド棒６７がスライドできるように設置されており、前記カップ送出スライド棒６７の後端面にはラック６６が固定的に設置されており、前記カップ送出チャンバ６１の左右壁の間には第三回転軸６５が回転できるように設置されており、前記第三回転軸６５には第二ベルト９１によって前記第三プーリ１８に連結される第五プーリ７０が固定的に設置されており、前記第三回転軸６５には前記第五プーリ７０の左側に位置し、且つ前記ラック６６に噛合する第一扇型歯車６９が固定的に設置されており、前記カップ送出パイプチャンバ６３の左右壁には第五スライド溝７１が対称的に設置されており、前記第五スライド溝７１の中には前記カップ送出チャンバ６１の中に伸びている弾き棒７２がスライドできるように設置されており、前記弾き棒７２と前記第五スライド溝７１の前壁との間が復帰撥条８８によって連結され、前記弾き棒７２の前端面には連結棒７３が固定的に設置されており、左右の前記連結棒７３の前端が中間棒７４によって連結され、前記中間棒７４の下端面には伝動棒６４が固定的に設置されており、前記伝動棒６４の下端が前記ラック６６の上端面に固定的に連結される。
【００２２】
以下、図１〜５及び上記の説明によって本申請のカップ転写プレス機を具体的に紹介する。
【００２３】
カップを送る過程中に、加工すべきのカップをカップ置き板７５の上端面に置き、モーター１９を始動し、ヒンジ棒５５がカップ５０と係合され、主動軸１７は左側のリードスクリュー２１と、タイミングベルト機構４６と右側のリードスクリュー２１をによって回転し、リードスクリュー２１が回転してネジ山ブロック５３を上昇させて第一スライドブロック２７を上昇連動させ、それによりカップ５０を上昇連動させてカップスリーブ３９と係合し、吸着装置４０が起動してカップ５０を吸い、ネジ山ブロック５３が上昇して指定位置に到着した後、傾斜ブロック５４が上傾斜ブロック２２と係合されて上切替棒１２によってスライド棒１３を連動させて互いに離れさせ、これにより係合棒２６を連動させて互いに離れさせ、これによりカップ５０を外し、左側のスライド棒１３は左側の感応スイッチ１４と係合され、モーター１９が起動して逆方向に回転し、ネジ山ブロック５３は下へ移動して初期位置に到着するときに、傾斜ブロック５４が第一傾斜ブロック２４と係合されて下切替棒５２によってスライド棒１３を連動させて復帰させて右の感応スイッチ１４と係合されてモーター１９を回転させて次の動作を進行する。
【００２４】
入替える時、モーター１９が逆方向に回転する過程中に、入替え軸２９が入替え盤３０を回転連動させて入替え棒４４によって吸着装置とカップスリーブ３９を回転連動させて位置を変え、スプライン軸８２がリール８３を回転連動させて糸を巻いてカップ置き板７５を上昇連動させ、カップ置き板７５がカップ５０を上昇連動させる。
【００２５】
カップ５０は入替えの作用によって転写チャンバ４１の中に回転する時にカップ５０の外円面が転写ブロック４２と当接し回転して転写を行い、転写を終え、モーター１９が正転する過程中に、ラック６６が前へ移動して伝動棒６４と、中間棒７４と、連結棒７３によって、弾き棒７２を前へ移動連動させてカップスリーブ３９をカップ５０から剥離させ、剥離を終えた後に弾き棒７２が復帰撥条８８によって、復帰する。
【００２６】
以上、発明の具体的な実施方法であり、ところが、発明の保護範囲はこれに限らない、創造性労働のない考えた変化や入替えは発明の保護範囲の中に含むべき、だから、発明の保護範囲は特許文献が限定する保護範囲に順するべきである。
【図１】
2020179931.tif 000003
【図２】
2020179931.tif 000004
【図３】
2020179931.tif 000005
【図４】
2020179931.tif 000006
【図５】
2020179931.tif 000007
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
図１に示した前後左右方向により分析し、転写箱及び前記転写箱に設置されるカップチャンバを含み、前記カップチャンバの中にはカップ送り装置が設置されており、前記カップ送り装置の中にはカップが置かれ、前記転写箱の中には挟みチャンバが設置されており、前記挟みチャンバの中には挟み装置が設置されており、前記挟み装置の中には上下に運動できるネジ山ブロックが設置されており、前記転写箱の中には入替えチャンバが設置されており、前記入替えチャンバの中には入替え装置が設置されており、前記入替え装置の中には前記カップと係合されるカップスリーブが設置されており、前記入替え装置の中には前記カップを吸う吸着装置が設置されており、前記転写箱の中には転写チャンバが設置されており、前記転写チャンバの中には転写装置が設置されており、前記転写装置は前記入替え装置と係合されて前記カップに転写を行うことができ、前記転写箱の中には動力チャンバが設置されており、前記動力チャンバの中には動力装置が設置されており、前記動力装置は前記挟み装置と前記入替え装置と係合され、前記転写箱の中にはカップ送出チャンバが設置されており、前記カップ送出チャンバの中にはカップ送出装置が設置されており、前記カップ送出装置は前記入替え装置と係合されて転写済みの前記カップを前記入替え装置から離脱させることができ、
前記カップ送出装置は前記カップチャンバの左壁にスライドできるように設置されるカップ置き板を含み、前記カップ置き板の下端面と前記カップチャンバの底壁との間が撥条によって固定的に連結され、前記転写箱の中には前記カップチャンバの下側に位置するチャンバが設置されており、前記チャンバの頂壁には第一回転軸が回転できるように設置されており、前記第一回転軸には第一プーリが固定的に設置されており、前記第一回転軸の下端には第一傘歯車が固定的に設置されており、前記チャンバの底壁のうち上に伸びている壁体の中にはスプライン軸が回転できるように設置されており、前記チャンバの底壁には前記スプライン軸と係合される歯止めが設置されており、前記スプライン軸は歯止めに制限されて前記動力装置が反転するときにしか回転しなく、前記スプライン軸の左端には前記第一傘歯車に噛合する第二傘歯車が固定的に設置されており、前記チャンバの底壁には復帰棒がスライドできるように設置されており、前記復帰棒の左端面にはリールが回転できるように設置されており、前記リールにはワイヤーが周設されており、前記リールの左側は前記スプライン軸の右側のスプラインと係合され、前記復帰棒が上へ伸びており、前記復帰棒の左端面には左端が前記カップチャンバに伸びている下切替棒が固定的に設置されており、前記カップチャンバの中には前記下切替棒の上端面に固定的に連結され、且つ前記カップ置き板と係合できる下傾斜ブロックが設置されており、前記復帰棒の上端の左側が前記カップチャンバの中に伸びており、且つ前記カップ置き板と係合でき、前記ワイヤーが上へ伸びて糸巻きチャンバを通して前記カップチャンバの中に伸びて前記カップ置き板の上端面に固定的に連結されており、
前記動力装置は前記動力チャンバの頂壁に固定的に設置されるモーターを含み、前記モーターの下端には主動軸が伝動できるように連結され、前記転写箱の中には前記動力チャンバの下側に位置する伝動チャンバが設置されており、前記主動軸の下側が前記伝動チャンバの中に伸びており、前記動力チャンバの頂壁には係合軸が回転できるように設置されており、前記係合軸には第二プーリが固定的に設置されており、前記動力チャンバの中には前記主動軸に固定的に連結され、且つ第二ベルトによって前記第二プーリに連結される第三プーリが設置されており、前記動力チャンバの底壁には一方回転軸が回転できるように設置されており、前記一方回転軸の上端と前記係合軸との間が円盤状ラチェットによって係合され、前記伝動チャンバの中には前記一方回転軸の下端に固定的に連結される第三傘歯車が設置されており、
前記挟み装置は前記挟みチャンバの後壁に左右対称的に設置される第一スライド溝を含み、前記第一スライド溝の底壁には上端が前記伝動チャンバの中に伸びているリードスクリューが回転できるように設置されており、左右の前記リードスクリューの間は、前記リードスクリューの上端に固定的に設置され、且つ前記伝動チャンバの中に位置するタイミングベルト機構によって係合され、前記主動軸の下端が左側の前記リードスクリューの上端に固定的に連結されており、前記第一スライド溝の中には前記リードスクリューとネジ山によって係合されるネジ山ブロックがスライドできるように設置されており、前記ネジ山ブロックの左右端面には中心対称的に係合傾斜ブロックが固定的に設置されており、前記挟みチャンバの頂壁には第二スライド溝が左右対称的に設置されており、前記第二スライド溝の中にはスライド棒がスライドできるように設置されており、前記スライド棒のうち互いに近接する一端には係合棒が固定的に設置されており、前記スライド棒の下端面には上切替棒が固定的に設置されており、前記上切替棒の相対する端面には上斜めブロックが固定的に設置されており、前記スライド棒の下端面には左右の前記上切替棒の間に位置する下切替棒が固定的に設置されており、前記下切替棒のうち互いに離れている端面には第一傾斜ブロックが固定的に設置され、
左側の前記第二スライド溝の左右壁には前記モーターに電気的に係合される感応スイッチが固定的に設置されており、前記係合棒の中には第三スライド溝が設置されており、前記第三スライド溝の中には第一スライドブロックがスライドできるように設置されており、前記第一スライドブロックの中にはスライドチャンバが設置されており、前記ネジ山ブロックのうち相対する端面には前記スライドチャンバの中に伸びており、且つ前記スライドチャンバにスライドできるように係合される連動棒が固定的に設置されており、前記第一スライドブロックの中には前に開口するヒンジ棒スライドチャンバが設置されており、前記ヒンジ棒スライドチャンバの中にはヒンジ棒が設置されており、左右の前記ヒンジ棒が前記ヒンジ軸によってヒンジで連結されており、
前記入替え装置は前記伝動チャンバの壁体の中に回転できるように設置され、且つ右端が前記入替えチャンバの中に伸びている入替え軸を含み、前記伝動チャンバの左壁には第二回転軸が回転できるように設置されており、前記第二回転軸には前記第三傘歯車と噛み合う第四傘歯車が固定的に設置されており、前記第二回転軸には第三ベルトによって前記第一プーリに連結される第四プーリが固定的に設置されており、前記第二回転軸の右端には変速ギヤが固定的に設けられ、前記伝動チャンバの中には前記入替え軸に固定的に連結され、且つ前記変速ギヤと噛み合う入替え歯車が設置されており、前記入替えチャンバの中には前記入替え軸の右端に固定的に連結される入替え盤が設置されており、前記入替え盤の外円面には四つの入替え棒が回転できるように設置されており、前記入替え棒の一端には前記吸着装置が固定的に設置されており、
前記転写装置は前記転写チャンバの右壁に固定的に設置される転写ブロックを含み、
前記カップ送出装置は前記入替えチャンバの前側に設置され、且つ前記入替えチャンバに連通する前記カップ送出チャンバを含み、前記カップ送出チャンバの前壁には後端が外界に伸びているカップ送出パイプが固定的に設置されており、前記カップ送出パイプの中にはカップ送出パイプチャンバが設置されており、前記カップ送出チャンバの底壁には第四スライド溝が設置されており、前記第四スライド溝の中にはカップ送出スライド棒がスライドできるように設置されており、前記カップ送出スライド棒の後端面にはラックが固定的に設置されており、前記カップ送出チャンバの左右壁の間には第三回転軸が回転できるように設置されており、前記第三回転軸には第二ベルトによって前記第三プーリに連結される第五プーリが固定的に設置されており、前記第三回転軸には前記第五プーリの左側に位置し、且つ前記ラックに噛合する第一扇型歯車が固定的に設置されており、前記カップ送出パイプチャンバの左右壁には第五スライド溝が対称的に設置されており、前記第五スライド溝の中には前記カップ送出チャンバの中に伸びている弾き棒がスライドできるように設置されており、前記弾き棒と前記第五スライド溝の前壁との間が復帰撥条によって連結され、前記弾き棒の前端面には連結棒が固定的に設置されており、左右の前記連結棒の前端が中間棒によって連結され、前記中間棒の下端面には伝動棒が固定的に設置されており、前記伝動棒の下端が前記ラックの上端面に固定的に連結されることを特徴とするカップ転写プレス機。
【手続補正２】
【補正対象書類名】明細書
【補正対象項目名】全文
【補正方法】変更
【補正の内容】
【発明の詳細な説明】
【技術分野】
【０００１】
本発明はサイクリングマスクの分野を取り上げて、具体的にはカップ転写プレス機である。
【背景技術】
【０００２】
伝統的なカップ転写プレス機の結構は複雑で、その中には大量な電子部品が使用され、安定性が悪く、修理しにくい、尚、伝統的なカップ転写プレス機は異なったサイズのカップを加工しにくい問題が存在し、上記欠点に対して、本装置を提出した。
【先行技術文献】
【特許文献】
【０００３】
【特許文献１】中国特許出願公開第１０７１８７１９２号明細書
【発明の概要】
【発明が解決しようとする課題】
【０００４】
上記技術の不足に対して、本発明はカップ転写プレス機を提出し、上記欠点を克服できる。
【課題を解決するための手段】
【０００５】
本発明はカップ転写プレス機であり、転写箱及び前記転写箱に設置されるカップチャンバを含み、前記カップチャンバの中にはカップ送り装置が設置されており、前記カップ送り装置の中にはカップが置かれ、前記転写箱の中には挟みチャンバが設置されており、前記挟みチャンバの中には挟み装置が設置されており、前記挟み装置の中には上下に運動できるネジ山ブロックが設置されており、前記転写箱の中には入替えチャンバが設置されており、前記入替えチャンバの中には入替え装置が設置されており、前記入替え装置の中には前記カップと係合されるカップスリーブが設置されており、前記入替え装置の中には前記カップを吸う吸着装置が設置されており、前記転写箱の中には転写チャンバが設置されており、前記転写チャンバの中には転写装置が設置されており、前記転写装置は前記入替え装置と係合されて前記カップに転写を行うことができ、前記転写箱の中には動力チャンバが設置されており、前記動力チャンバの中には動力装置が設置されており、前記動力装置は前記挟み装置と前記入替え装置と係合され、前記転写箱の中にはカップ送出チャンバが設置されており、前記カップ送出チャンバの中にはカップ送出装置が設置されており、前記カップ送出装置は前記入替え装置と係合されて転写済みの前記カップを前記入替え装置から離脱させることができる。
【０００６】
更なる技術方案、前記カップ送出装置は前記カップチャンバの左壁にスライドできるように設置されるカップ置き板を含み、前記カップ置き板の下端面と前記カップチャンバの底壁との間が撥条によって固定的に連結され、前記転写箱の中には前記カップチャンバの下側に位置するチャンバが設置されており、前記チャンバの頂壁には第一回転軸が回転できるように設置されており、前記第一回転軸には第一プーリが固定的に設置されており、前記第一回転軸の下端には第一傘歯車が固定的に設置されており、前記チャンバの底壁のうち上に伸びている壁体の中にはスプライン軸が回転できるように設置されており、前記チャンバの底壁には前記スプライン軸と係合される歯止めが設置されており、前記スプライン軸は歯止めに制限されて前記動力装置が反転するときにしか回転しなく、前記スプライン軸の左端には前記第一傘歯車に噛合する第二傘歯車が固定的に設置されており、前記チャンバの底壁には復帰棒がスライドできるように設置されており、前記復帰棒の左端面にはリールが回転できるように設置されており、前記リールにはワイヤーが周設されており、前記リールの左側は前記スプライン軸の右側のスプラインと係合され、前記復帰棒が上へ伸びており、前記復帰棒の左端面には左端が前記カップチャンバに伸びている下切替棒が固定的に設置されており、前記カップチャンバの中には前記下切替棒の上端面に固定的に連結され、且つ前記カップ置き板と係合できる下傾斜ブロックが設置されており、前記復帰棒の上端の左側が前記カップチャンバの中に伸びており、且つ前記カップ置き板と係合でき、前記ワイヤーが上へ伸びて糸巻きチャンバを通して前記カップチャンバの中に伸びて前記カップ置き板の上端面に固定的に連結される。
【０００７】
更なる技術方案、前記動力装置は前記動力チャンバの頂壁に固定的に設置されるモーターを含み、前記モーターの下端には主動軸が伝動できるように連結され、前記転写箱の中には前記動力チャンバの下側に位置する伝動チャンバが設置されており、前記主動軸の下側が前記伝動チャンバの中に伸びており、前記動力チャンバの頂壁には係合軸が回転できるように設置されており、前記係合軸には第二プーリが固定的に設置されており、前記動力チャンバの中には前記主動軸に固定的に連結され、且つ第二ベルトによって前記第二プーリに連結される第三プーリが設置されており、前記動力チャンバの底壁には一方回転軸が回転できるように設置されており、前記一方回転軸の上端と前記係合軸との間が円盤状ラチェットによって係合され、前記伝動チャンバの中には前記一方回転軸の下端に固定的に連結される第三傘歯車が設置される。
【０００８】
更なる技術方案、前記挟み装置は前記挟みチャンバの後壁に左右対称的に設置される第一スライド溝を含み、前記第一スライド溝の底壁には上端が前記伝動チャンバの中に伸びているリードスクリューが回転できるように設置されており、左右の前記リードスクリューの間は、前記リードスクリューの上端に固定的に設置され、且つ前記伝動チャンバの中に位置するタイミングベルト機構によって係合され、前記主動軸の下端が左側の前記リードスクリューの上端に固定的に連結されており、前記第一スライド溝の中には前記リードスクリューとネジ山によって係合されるネジ山ブロックがスライドできるように設置されており、前記ネジ山ブロックの左右端面には中心対称的に係合傾斜ブロックが固定的に設置されており、前記挟みチャンバの頂壁には第二スライド溝が左右対称的に設置されており、前記第二スライド溝の中にはスライド棒がスライドできるように設置されており、前記スライド棒のうち互いに近接する一端には係合棒が固定的に設置されており、前記スライド棒の下端面には上切替棒が固定的に設置されており、前記上切替棒の相対する端面には上斜めブロックが固定的に設置されており、前記スライド棒の下端面には左右の前記上切替棒の間に位置する下切替棒が固定的に設置されており、前記下切替棒のうち互いに離れている端面には第一傾斜ブロックが固定的に設置され、
左側の前記第二スライド溝の左右壁には前記モーターに電気的に係合される感応スイッチが固定的に設置されており、前記係合棒の中には第三スライド溝が設置されており、前記第三スライド溝の中には第一スライドブロックがスライドできるように設置されており、前記第一スライドブロックの中にはスライドチャンバが設置されており、前記ネジ山ブロックのうち相対する端面には前記スライドチャンバの中に伸びており、且つ前記スライドチャンバにスライドできるように係合される連動棒が固定的に設置されており、前記第一スライドブロックの中には前に開口するヒンジ棒スライドチャンバが設置されており、前記ヒンジ棒スライドチャンバの中にはヒンジ棒が設置されており、左右の前記ヒンジ棒が前記ヒンジ軸によってヒンジで連結される。
【０００９】
更なる技術方案、前記入替え装置は前記伝動チャンバの壁体の中に回転できるように設置され、且つ右端が前記入替えチャンバの中に伸びている入替え軸を含み、前記伝動チャンバの左壁には第二回転軸が回転できるように設置されており、前記第二回転軸には前記第三傘歯車と噛み合う第四傘歯車が固定的に設置されており、前記第二回転軸には第三ベルトによって前記第一プーリに連結される第四プーリが固定的に設置されており、前記第二回転軸の右端には変速ギヤが固定的に設けられ、前記伝動チャンバの中には前記入替え軸に固定的に連結され、且つ前記変速ギヤと噛み合う入替え歯車が設置されており、前記入替えチャンバの中には前記入替え軸の右端に固定的に連結される入替え盤が設置されており、前記入替え盤の外円面には四つの入替え棒が回転できるように設置されており、前記入替え棒の一端には前記吸着装置が固定的に設置される。
【００１０】
更なる技術方案、前記転写装置は前記転写チャンバの右壁に固定的に設置される転写ブロックを含む。
【００１１】
更なる技術方案、前記カップ送出装置は前記入替えチャンバの前側に設置され、且つ前記入替えチャンバに連通する前記カップ送出チャンバを含み、前記カップ送出チャンバの前壁には後端が外界に伸びているカップ送出パイプが固定的に設置されており、前記カップ送出パイプの中にはカップ送出パイプチャンバが設置されており、前記カップ送出チャンバの底壁には第四スライド溝が設置されており、前記第四スライド溝の中にはカップ送出スライド棒がスライドできるように設置されており、前記カップ送出スライド棒の後端面にはラックが固定的に設置されており、前記カップ送出チャンバの左右壁の間には第三回転軸が回転できるように設置されており、前記第三回転軸には第二ベルトによって前記第三プーリに連結される第五プーリが固定的に設置されており、前記第三回転軸には前記第五プーリの左側に位置し、且つ前記ラックに噛合する第一扇型歯車が固定的に設置されており、前記カップ送出パイプチャンバの左右壁には第五スライド溝が対称的に設置されており、前記第五スライド溝の中には前記カップ送出チャンバの中に伸びている弾き棒がスライドできるように設置されており、前記弾き棒と前記第五スライド溝の前壁との間が復帰撥条によって連結され、前記弾き棒の前端面には連結棒が固定的に設置されており、左右の前記連結棒の前端が中間棒によって連結され、前記中間棒の下端面には伝動棒が固定的に設置されており、前記伝動棒の下端が前記ラックの上端面に固定的に連結される。
【発明の効果】
【００１２】
本発明の有益な効果は下記の通りである：
【００１３】
本装置の機構が簡単で、便利に使用され、本願発明のカップ転写プレス機によりカップに転写を行うことができ、カップの印刷生産効率を上げる。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【図１】図１は本発明のカップ転写プレス機の全体構成模式図
【図２】図２は図１のＡーＡの構成模式図
【図３】図３は図１のＢーＢの構成模式図
【図４】図４は図３のＣーＣの構成模式図
【図５】図５は図１のＤの構成模式図
【発明を実施するための形態】
【００１５】
図１〜５に示すように、本発明はカップ転写プレス機であり、転写箱１０及び前記転写箱２０に設置されるカップチャンバ４９を含み、前記カップチャンバ４９の中にはカップ送り装置１００が設置されており、前記カップ送り装置１００の中にはカップ５０が置かれ、前記転写箱１０の中には挟みチャンバ１１が設置されており、前記挟みチャンバ１１の中には挟み装置３００が設置されており、前記挟み装置３００の中には上下に運動できるネジ山ブロック５３が設置されており、前記転写箱１０の中には入替えチャンバ４５が設置されており、前記入替えチャンバ４５の中には入替え装置４００が設置されており、前記入替え装置４００の中には前記カップ５０と係合されるカップスリーブ３９が設置されており、前記入替え装置４００の中には前記カップ５０を吸う吸着装置４０が設置されており、前記転写箱１０の中には転写チャンバ４１が設置されており、前記転写チャンバ４１の中には転写装置５００が設置されており、前記転写装置５００は前記入替え装置４００と係合されて前記カップ５０に転写を行うことができ、前記転写箱１０の中には動力チャンバ３７が設置されており、前記動力チャンバ３７の中には動力装置２００が設置されており、前記動力装置２００は前記挟み装置３００と前記入替え装置４００と係合され、前記転写箱１０の中にはカップ送出チャンバ６１が設置されており、前記カップ送出チャンバ６１の中にはカップ送出装置６００が設置されており、前記カップ送出装置６００は前記入替え装置４００と係合されて転写済みの前記カップ５０を前記入替え装置４００から離脱させることができる。
【００１６】
有益なように、前記カップ送出装置１００は前記カップチャンバ４９の左壁にスライドできるように設置されるカップ置き板７５を含み、前記カップ置き板７５の下端面と前記カップチャンバ４９の底壁との間が撥条７６によって固定的に連結され、前記転写箱１０の中には前記カップチャンバ４９の下側に位置するチャンバ７９が設置されており、前記チャンバ７９の頂壁には第一回転軸７７が回転できるように設置されており、前記第一回転軸７７には第一プーリ７８が固定的に設置されており、前記第一回転軸７７の下端には第一傘歯車８０が固定的に設置されており、前記チャンバ７９の底壁のうち上に伸びている壁体の中にはスプライン軸８２が回転できるように設置されており、前記チャンバ７９の底壁には前記スプライン軸８２と係合される歯止め８７が設置されており、前記スプライン軸８２は歯止め８７に制限されて前記動力装置２００が反転するときにしか回転しなく、前記スプライン軸８２の左端には前記第一傘歯車８０に噛合する第二傘歯車８１が固定的に設置されており、前記チャンバ７９の底壁には復帰棒８４がスライドできるように設置されており、前記復帰棒８４の左端面にはリール８３が回転できるように設置されており、前記リール８３にはワイヤーが周設されており、前記リール８３の左側は前記スプライン軸８２の右側のスプラインと係合され、前記復帰棒８４が上へ伸びており、前記復帰棒８４の左端面には左端が前記カップチャンバ４９に伸びている下切替棒８５が固定的に設置されており、前記カップチャンバ４９の中には前記下切替棒８５の上端面に固定的に連結され、且つ前記カップ置き板７５と係合できる下傾斜ブロック８６が設置されており、前記復帰棒８４の上端の左側が前記カップチャンバ４９の中に伸びており、且つ前記カップ置き板７５と係合でき、前記ワイヤーが上へ伸びて糸巻きチャンバ４８を通して前記カップチャンバ４９の中に伸びて前記カップ置き板７５の上端面に固定的に連結される。
【００１７】
有益なように、前記動力装置２００は前記動力チャンバ３７の頂壁に固定的に設置されるモーター１９を含み、前記モーター１９の下端には主動軸１７が伝動できるように連結され、前記転写箱１０の中には前記動力チャンバ３７の下側に位置する伝動チャンバ１５が設置されており、前記主動軸１７の下側が前記伝動チャンバ１５の中に伸びており、前記動力チャンバ３７の頂壁には係合軸３８が回転できるように設置されており、前記係合軸３８には第二プーリ３３が固定的に設置されており、前記動力チャンバ３７の中には前記主動軸１７に固定的に連結され、且つ第二ベルト９０によって前記第二プーリ３３に連結される第三プーリ１８が設置されており、前記動力チャンバ３７の底壁には一方回転軸３６が回転できるように設置されており、前記一方回転軸３６の上端と前記係合軸３８との間が円盤状ラチェット３２によって係合され、前記伝動チャンバ１５の中には前記一方回転軸３６の下端に固定的に連結される第三傘歯車３５が設置される。
【００１８】
有益なように、前記挟み装置３００は前記挟みチャンバ１１の後壁に左右対称的に設置される第一スライド溝２０を含み、前記第一スライド溝２０の底壁には上端が前記伝動チャンバ１５の中に伸びているリードスクリュー２１が回転できるように設置されており、左右の前記リードスクリュー２１の間は、前記リードスクリュー２１の上端に固定的に設置され、且つ前記伝動チャンバ１５の中に位置するタイミングベルト機構によって係合され、前記主動軸１７の下端が左側の前記リードスクリュー２１の上端に固定的に連結されており、前記第一スライド溝２０の中には前記リードスクリュー２１とネジ山によって係合されるネジ山ブロック５３がスライドできるように設置されており、前記ネジ山ブロック５３の左右端面には中心対称的に係合傾斜ブロック５４が固定的に設置されており、前記挟みチャンバ１１の頂壁には第二スライド溝２３が左右対称的に設置されており、前記第二スライド溝の中にはスライド棒１３がスライドできるように設置されており、前記スライド棒１３のうち互いに近接する一端には係合棒２６が固定的に設置されており、前記スライド棒１３の下端面には上切替棒１２が固定的に設置されており、前記上切替棒１２の相対する端面には上斜めブロック２２が固定的に設置されており、前記スライド棒１３の下端面には左右の前記上切替棒１２の間に位置する下切替棒５２が固定的に設置されており、前記下切替棒５２のうち互いに離れている端面には第一傾斜ブロック２４が固定的に設置され、
左側の前記第二スライド溝２３の左右壁には前記モーター１９に電気的に係合される感応スイッチ１４が固定的に設置されており、前記係合棒２６の中には第三スライド溝２５が設置されており、前記第三スライド溝２５の中には第一スライドブロック２７がスライドできるように設置されており、前記第一スライドブロック２７の中にはスライドチャンバ６０が設置されており、前記ネジ山ブロック５３のうち相対する端面には前記スライドチャンバ６０の中に伸びており、且つ前記スライドチャンバ６０にスライドできるように係合される連動棒５９が固定的に設置されており、前記第一スライドブロック２７の中には前に開口するヒンジ棒スライドチャンバ５８が設置されており、前記ヒンジ棒スライドチャンバ５８の中にはヒンジ棒５５が設置されており、左右の前記ヒンジ棒５５が前記ヒンジ軸によってヒンジで連結される。
【００１９】
有益なように、前記入替え装置４００は前記伝動チャンバ１５の壁体の中に回転できるように設置され、且つ右端が前記入替えチャンバ４５の中に伸びている入替え軸２９を含み、前記伝動チャンバ１５の左壁には第二回転軸１６が回転できるように設置されており、前記第二回転軸１６には前記第三傘歯車３５と噛み合う第四傘歯車３４が固定的に設置されており、前記第二回転軸１６には第三ベルト９３によって前記第一プーリ７８に連結される第四プーリ３１が固定的に設置されており、前記第二回転軸１６の右端には変速ギヤ４３が固定的に設けられ、前記伝動チャンバ１５の中には前記入替え軸２９に固定的に連結され、且つ前記変速ギヤ４３と噛み合う入替え歯車２８が設置されており、前記入替えチャンバ４５の中には前記入替え軸２９の右端に固定的に連結される入替え盤３０が設置されており、前記入替え盤３０の外円面には四つの入替え棒４４が回転できるように設置されており、前記入替え棒４４の一端には前記吸着装置４０が固定的に設置される。
【００２０】
有益なように、前記転写装置５００は前記転写チャンバ４１の右壁に固定的に設置される転写ブロック４２を含む。
【００２１】
有益なように、前記カップ送出装置６００は前記入替えチャンバ４５の前側に設置され、且つ前記入替えチャンバ４５に連通する前記カップ送出チャンバ６１を含み、前記カップ送出チャンバ６１の前壁には後端が外界に伸びているカップ送出パイプ６２が固定的に設置されており、前記カップ送出パイプ６２の中にはカップ送出パイプチャンバ６３が設置されており、前記カップ送出チャンバ６１の底壁には第四スライド溝６８が設置されており、前記第四スライド溝６８の中にはカップ送出スライド棒６７がスライドできるように設置されており、前記カップ送出スライド棒６７の後端面にはラック６６が固定的に設置されており、前記カップ送出チャンバ６１の左右壁の間には第三回転軸６５が回転できるように設置されており、前記第三回転軸６５には第二ベルト９１によって前記第三プーリ１８に連結される第五プーリ７０が固定的に設置されており、前記第三回転軸６５には前記第五プーリ７０の左側に位置し、且つ前記ラック６６に噛合する第一扇型歯車６９が固定的に設置されており、前記カップ送出パイプチャンバ６３の左右壁には第五スライド溝７１が対称的に設置されており、前記第五スライド溝７１の中には前記カップ送出チャンバ６１の中に伸びている弾き棒７２がスライドできるように設置されており、前記弾き棒７２と前記第五スライド溝７１の前壁との間が復帰撥条８８によって連結され、前記弾き棒７２の前端面には連結棒７３が固定的に設置されており、左右の前記連結棒７３の前端が中間棒７４によって連結され、前記中間棒７４の下端面には伝動棒６４が固定的に設置されており、前記伝動棒６４の下端が前記ラック６６の上端面に固定的に連結される。
【００２２】
以下、図１〜５及び上記の説明によって本申請のカップ転写プレス機を具体的に紹介する。
【００２３】
カップを送る過程中に、加工すべきのカップをカップ置き板７５の上端面に置き、モーター１９を始動し、ヒンジ棒５５がカップ５０と係合され、主動軸１７は左側のリードスクリュー２１と、タイミングベルト機構４６と右側のリードスクリュー２１をによって回転し、リードスクリュー２１が回転してネジ山ブロック５３を上昇させて第一スライドブロック２７を上昇連動させ、それによりカップ５０を上昇連動させてカップスリーブ３９と係合し、吸着装置４０が起動してカップ５０を吸い、ネジ山ブロック５３が上昇して指定位置に到着した後、傾斜ブロック５４が上傾斜ブロック２２と係合されて上切替棒１２によってスライド棒１３を連動させて互いに離れさせ、これにより係合棒２６を連動させて互いに離れさせ、これによりカップ５０を外し、左側のスライド棒１３は左側の感応スイッチ１４と係合され、モーター１９が起動して逆方向に回転し、ネジ山ブロック５３は下へ移動して初期位置に到着するときに、傾斜ブロック５４が第一傾斜ブロック２４と係合されて下切替棒５２によってスライド棒１３を連動させて復帰させて右の感応スイッチ１４と係合されてモーター１９を回転させて次の動作を進行する。
【００２４】
入替える時、モーター１９が逆方向に回転する過程中に、入替え軸２９が入替え盤３０を回転連動させて入替え棒４４によって吸着装置とカップスリーブ３９を回転連動させて位置を変え、スプライン軸８２がリール８３を回転連動させて糸を巻いてカップ置き板７５を上昇連動させ、カップ置き板７５がカップ５０を上昇連動させる。
【００２５】
カップ５０は入替えの作用によって転写チャンバ４１の中に回転する時にカップ５０の外円面が転写ブロック４２と当接し回転して転写を行い、転写を終え、モーター１９が正転する過程中に、ラック６６が前へ移動して伝動棒６４と、中間棒７４と、連結棒７３によって、弾き棒７２を前へ移動連動させてカップスリーブ３９をカップ５０から剥離させ、剥離を終えた後に弾き棒７２が復帰撥条８８によって、復帰する。
【００２６】
以上、発明の具体的な実施方法であり、ところが、発明の保護範囲はこれに限らない、創造性労働のない考えた変化や入替えは発明の保護範囲の中に含むべき、だから、発明の保護範囲は特許文献が限定する保護範囲に順するべきである。
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
転写箱及び前記転写箱に設置されるカップチャンバを含み、前記カップチャンバの中にはカップ送り装置が設置されており、前記カップ送り装置の中にはカップが置かれ、前記転写箱の中には挟みチャンバが設置されており、前記挟みチャンバの中には挟み装置が設置されており、前記挟み装置の中には上下に運動できるネジ山ブロックが設置されており、前記転写箱の中には入替えチャンバが設置されており、前記入替えチャンバの中には入替え装置が設置されており、前記入替え装置の中には前記カップと係合されるカップスリーブが設置されており、前記入替え装置の中には前記カップを吸う吸着装置が設置されており、前記転写箱の中には転写チャンバが設置されており、前記転写チャンバの中には転写装置が設置されており、前記転写装置は前記入替え装置と係合されて前記カップに転写を行うことができ、前記転写箱の中には動力チャンバが設置されており、前記動力チャンバの中には動力装置が設置されており、前記動力装置は前記挟み装置と前記入替え装置と係合され、前記転写箱の中にはカップ送出チャンバが設置されており、前記カップ送出チャンバの中にはカップ送出装置が設置されており、前記カップ送出装置は前記入替え装置と係合されて転写済みの前記カップを前記入替え装置から離脱させることができ、
前記カップ送り装置は前記カップチャンバの左壁にスライドできるように設置されるカップ置き板を含み、前記カップ置き板の下端面と前記カップチャンバの底壁との間が撥条によって固定的に連結され、前記転写箱の中には前記カップチャンバの下側に位置する空きチャンバが設置されており、前記空きチャンバの頂壁には第一回転軸が回転できるように設置されており、前記第一回転軸には第一プーリが固定的に設置されており、前記第一回転軸の下端には第一傘歯車が固定的に設置されており、前記空きチャンバの底壁のうち上に伸びている壁体の中にはスプライン軸が回転できるように設置されており、前記空きチャンバの底壁には前記スプライン軸と係合される歯止めが設置されており、前記スプライン軸は歯止めに制限されて前記動力装置が反転するときにしか回転しなく、前記スプライン軸の左端には前記第一傘歯車に噛合する第二傘歯車が固定的に設置されており、前記空きチャンバの底壁には復帰棒がスライドできるように設置されており、前記復帰棒の左端面にはリールが回転できるように設置されており、前記リールにはワイヤーが周設されており、前記リールの左側は前記スプライン軸の右側のスプラインと係合され、前記復帰棒が上へ伸びており、前記復帰棒の左端面には左端が前記カップチャンバに伸びている下切替棒が固定的に設置されており、前記カップチャンバの中には前記下切替棒の上端面に固定的に連結され、且つ前記カップ置き板と係合できる下傾斜ブロックが設置されており、前記復帰棒の上端の左側が前記カップチャンバの中に伸びており、且つ前記カップ置き板と係合でき、前記ワイヤーが上へ伸びて糸巻きチャンバを通して前記カップチャンバの中に伸びて前記カップ置き板の上端面に固定的に連結されており、
前記動力装置は前記動力チャンバの頂壁に固定的に設置されるモーターを含み、前記モーターの下端には主動軸が伝動できるように連結され、前記転写箱の中には前記動力チャンバの下側に位置する伝動チャンバが設置されており、前記主動軸の下側が前記伝動チャンバの中に伸びており、前記動力チャンバの頂壁には係合軸が回転できるように設置されており、前記係合軸には第二プーリが固定的に設置されており、前記動力チャンバの中には前記主動軸に固定的に連結され、且つ第二ベルトによって前記第二プーリに連結される第三プーリが設置されており、前記動力チャンバの底壁には一方回転軸が回転できるように設置されており、前記一方回転軸の上端と前記係合軸との間が円盤状ラチェットによって係合され、前記伝動チャンバの中には前記一方回転軸の下端に固定的に連結される第三傘歯車が設置されており、
前記挟み装置は前記挟みチャンバの後壁に左右対称的に設置される第一スライド溝を含み、前記第一スライド溝の底壁には上端が前記伝動チャンバの中に伸びているリードスクリューが回転できるように設置されており、左右の前記リードスクリューの間は、前記リードスクリューの上端に固定的に設置され、且つ前記伝動チャンバの中に位置するタイミングベルト機構によって係合され、前記主動軸の下端が左側の前記リードスクリューの上端に固定的に連結されており、前記第一スライド溝の中には前記リードスクリューとネジ山によって係合されるネジ山ブロックがスライドできるように設置されており、前記ネジ山ブロックの左右端面には中心対称的に係合傾斜ブロックが固定的に設置されており、前記挟みチャンバの頂壁には第二スライド溝が左右対称的に設置されており、前記第二スライド溝の中にはスライド棒がスライドできるように設置されており、前記スライド棒のうち互いに近接する一端には係合棒が固定的に設置されており、前記スライド棒の下端面には上切替棒が固定的に設置されており、前記上切替棒の相対する端面には上斜めブロックが固定的に設置されており、前記スライド棒の下端面には左右の前記上切替棒の間に位置する下切替棒が固定的に設置されており、前記下切替棒のうち互いに離れている端面には第一傾斜ブロックが固定的に設置され、
左側の前記第二スライド溝の左右壁には前記モーターに電気的に係合される感応スイッチが固定的に設置されており、前記係合棒の中には第三スライド溝が設置されており、前記第三スライド溝の中には第一スライドブロックがスライドできるように設置されており、前記第一スライドブロックの中にはスライドチャンバが設置されており、前記ネジ山ブロックのうち相対する端面には前記スライドチャンバの中に伸びており、且つ前記スライドチャンバにスライドできるように係合される連動棒が固定的に設置されており、前記第一スライドブロックの中には前に開口するヒンジ棒スライドチャンバが設置されており、前記ヒンジ棒スライドチャンバの中にはヒンジ棒が設置されており、左右の前記ヒンジ棒がヒンジ軸によってヒンジで連結されており、
前記入替え装置は前記伝動チャンバの壁体の中に回転できるように設置され、且つ右端が前記入替えチャンバの中に伸びている入替え軸を含み、前記伝動チャンバの左壁には第二回転軸が回転できるように設置されており、前記第二回転軸には前記第三傘歯車と噛み合う第四傘歯車が固定的に設置されており、前記第二回転軸には第三ベルトによって前記第一プーリに連結される第四プーリが固定的に設置されており、前記第二回転軸の右端には変速ギヤが固定的に設けられ、前記伝動チャンバの中には前記入替え軸に固定的に連結され、且つ前記変速ギヤと噛み合う入替え歯車が設置されており、前記入替えチャンバの中には前記入替え軸の右端に固定的に連結される入替え盤が設置されており、前記入替え盤の外円面には四つの入替え棒が回転できるように設置されており、前記入替え棒の一端には前記吸着装置が固定的に設置されており、
前記転写装置は前記転写チャンバの右壁に固定的に設置される転写ブロックを含み、
前記カップ送出装置は前記入替えチャンバの前側に設置され、且つ前記入替えチャンバに連通する前記カップ送出チャンバを含み、前記カップ送出チャンバの前壁には後端が外界に伸びているカップ送出パイプが固定的に設置されており、前記カップ送出パイプの中にはカップ送出パイプチャンバが設置されており、前記カップ送出チャンバの底壁には第四スライド溝が設置されており、前記第四スライド溝の中にはカップ送出スライド棒がスライドできるように設置されており、前記カップ送出スライド棒の後端面にはラックが固定的に設置されており、前記カップ送出チャンバの左右壁の間には第三回転軸が回転できるように設置されており、前記第三回転軸には第二ベルトによって前記第三プーリに連結される第五プーリが固定的に設置されており、前記第三回転軸には前記第五プーリの左側に位置し、且つ前記ラックに噛合する第一扇型歯車が固定的に設置されており、前記カップ送出パイプチャンバの左右壁には第五スライド溝が対称的に設置されており、前記第五スライド溝の中には前記カップ送出チャンバの中に伸びている弾き棒がスライドできるように設置されており、前記弾き棒と前記第五スライド溝の前壁との間が復帰撥条によって連結され、前記弾き棒の前端面には連結棒が固定的に設置されており、左右の前記連結棒の前端が中間棒によって連結され、前記中間棒の下端面には伝動棒が固定的に設置されており、前記伝動棒の下端が前記ラックの上端面に固定的に連結されることを特徴とするカップ転写プレス機。
【手続補正２】
【補正対象書類名】明細書
【補正対象項目名】全文
【補正方法】変更
【補正の内容】
【発明の詳細な説明】
【技術分野】
【０００１】
本発明はサイクリングマスクの分野を取り上げて、具体的にはカップ転写プレス機である。
【背景技術】
【０００２】
伝統的なカップ転写プレス機の結構は複雑で、その中には大量な電子部品が使用され、安定性が悪く、修理しにくい、尚、伝統的なカップ転写プレス機は異なったサイズのカップを加工しにくい問題が存在し、上記欠点に対して、本装置を提出した。
【先行技術文献】
【特許文献】
【０００３】
【特許文献１】中国特許出願公開第１０７１８７１９２号明細書
【発明の概要】
【発明が解決しようとする課題】
【０００４】
上記技術の不足に対して、本発明はカップ転写プレス機を提出し、上記欠点を克服できる。
【課題を解決するための手段】
【０００５】
本発明はカップ転写プレス機であり、転写箱及び前記転写箱に設置されるカップチャンバを含み、前記カップチャンバの中にはカップ送り装置が設置されており、前記カップ送り装置の中にはカップが置かれ、前記転写箱の中には挟みチャンバが設置されており、前記挟みチャンバの中には挟み装置が設置されており、前記挟み装置の中には上下に運動できるネジ山ブロックが設置されており、前記転写箱の中には入替えチャンバが設置されており、前記入替えチャンバの中には入替え装置が設置されており、前記入替え装置の中には前記カップと係合されるカップスリーブが設置されており、前記入替え装置の中には前記カップを吸う吸着装置が設置されており、前記転写箱の中には転写チャンバが設置されており、前記転写チャンバの中には転写装置が設置されており、前記転写装置は前記入替え装置と係合されて前記カップに転写を行うことができ、前記転写箱の中には動力チャンバが設置されており、前記動力チャンバの中には動力装置が設置されており、前記動力装置は前記挟み装置と前記入替え装置と係合され、前記転写箱の中にはカップ送出チャンバが設置されており、前記カップ送出チャンバの中にはカップ送出装置が設置されており、前記カップ送出装置は前記入替え装置と係合されて転写済みの前記カップを前記入替え装置から離脱させることができる。
【０００６】
更なる技術方案、前記カップ送り装置は前記カップチャンバの左壁にスライドできるように設置されるカップ置き板を含み、前記カップ置き板の下端面と前記カップチャンバの底壁との間が撥条によって固定的に連結され、前記転写箱の中には前記カップチャンバの下側に位置する空きチャンバが設置されており、前記空きチャンバの頂壁には第一回転軸が回転できるように設置されており、前記第一回転軸には第一プーリが固定的に設置されており、前記第一回転軸の下端には第一傘歯車が固定的に設置されており、前記空きチャンバの底壁のうち上に伸びている壁体の中にはスプライン軸が回転できるように設置されており、前記空きチャンバの底壁には前記スプライン軸と係合される歯止めが設置されており、前記スプライン軸は歯止めに制限されて前記動力装置が反転するときにしか回転しなく、前記スプライン軸の左端には前記第一傘歯車に噛合する第二傘歯車が固定的に設置されており、前記空きチャンバの底壁には復帰棒がスライドできるように設置されており、前記復帰棒の左端面にはリールが回転できるように設置されており、前記リールにはワイヤーが周設されており、前記リールの左側は前記スプライン軸の右側のスプラインと係合され、前記復帰棒が上へ伸びており、前記復帰棒の左端面には左端が前記カップチャンバに伸びている下切替棒が固定的に設置されており、前記カップチャンバの中には前記下切替棒の上端面に固定的に連結され、且つ前記カップ置き板と係合できる下傾斜ブロックが設置されており、前記復帰棒の上端の左側が前記カップチャンバの中に伸びており、且つ前記カップ置き板と係合でき、前記ワイヤーが上へ伸びて糸巻きチャンバを通して前記カップチャンバの中に伸びて前記カップ置き板の上端面に固定的に連結される。
【０００７】
更なる技術方案、前記動力装置は前記動力チャンバの頂壁に固定的に設置されるモーターを含み、前記モーターの下端には主動軸が伝動できるように連結され、前記転写箱の中には前記動力チャンバの下側に位置する伝動チャンバが設置されており、前記主動軸の下側が前記伝動チャンバの中に伸びており、前記動力チャンバの頂壁には係合軸が回転できるように設置されており、前記係合軸には第二プーリが固定的に設置されており、前記動力チャンバの中には前記主動軸に固定的に連結され、且つ第二ベルトによって前記第二プーリに連結される第三プーリが設置されており、前記動力チャンバの底壁には一方回転軸が回転できるように設置されており、前記一方回転軸の上端と前記係合軸との間が円盤状ラチェットによって係合され、前記伝動チャンバの中には前記一方回転軸の下端に固定的に連結される第三傘歯車が設置される。
【０００８】
更なる技術方案、前記挟み装置は前記挟みチャンバの後壁に左右対称的に設置される第一スライド溝を含み、前記第一スライド溝の底壁には上端が前記伝動チャンバの中に伸びているリードスクリューが回転できるように設置されており、左右の前記リードスクリューの間は、前記リードスクリューの上端に固定的に設置され、且つ前記伝動チャンバの中に位置するタイミングベルト機構によって係合され、前記主動軸の下端が左側の前記リードスクリューの上端に固定的に連結されており、前記第一スライド溝の中には前記リードスクリューとネジ山によって係合されるネジ山ブロックがスライドできるように設置されており、前記ネジ山ブロックの左右端面には中心対称的に係合傾斜ブロックが固定的に設置されており、前記挟みチャンバの頂壁には第二スライド溝が左右対称的に設置されており、前記第二スライド溝の中にはスライド棒がスライドできるように設置されており、前記スライド棒のうち互いに近接する一端には係合棒が固定的に設置されており、前記スライド棒の下端面には上切替棒が固定的に設置されており、前記上切替棒の相対する端面には上斜めブロックが固定的に設置されており、前記スライド棒の下端面には左右の前記上切替棒の間に位置する下切替棒が固定的に設置されており、前記下切替棒のうち互いに離れている端面には第一傾斜ブロックが固定的に設置され、
左側の前記第二スライド溝の左右壁には前記モーターに電気的に係合される感応スイッチが固定的に設置されており、前記係合棒の中には第三スライド溝が設置されており、前記第三スライド溝の中には第一スライドブロックがスライドできるように設置されており、前記第一スライドブロックの中にはスライドチャンバが設置されており、前記ネジ山ブロックのうち相対する端面には前記スライドチャンバの中に伸びており、且つ前記スライドチャンバにスライドできるように係合される連動棒が固定的に設置されており、前記第一スライドブロックの中には前に開口するヒンジ棒スライドチャンバが設置されており、前記ヒンジ棒スライドチャンバの中にはヒンジ棒が設置されており、左右の前記ヒンジ棒がヒンジ軸によってヒンジで連結される。
【０００９】
更なる技術方案、前記入替え装置は前記伝動チャンバの壁体の中に回転できるように設置され、且つ右端が前記入替えチャンバの中に伸びている入替え軸を含み、前記伝動チャンバの左壁には第二回転軸が回転できるように設置されており、前記第二回転軸には前記第三傘歯車と噛み合う第四傘歯車が固定的に設置されており、前記第二回転軸には第三ベルトによって前記第一プーリに連結される第四プーリが固定的に設置されており、前記第二回転軸の右端には変速ギヤが固定的に設けられ、前記伝動チャンバの中には前記入替え軸に固定的に連結され、且つ前記変速ギヤと噛み合う入替え歯車が設置されており、前記入替えチャンバの中には前記入替え軸の右端に固定的に連結される入替え盤が設置されており、前記入替え盤の外円面には四つの入替え棒が回転できるように設置されており、前記入替え棒の一端には前記吸着装置が固定的に設置される。
【００１０】
更なる技術方案、前記転写装置は前記転写チャンバの右壁に固定的に設置される転写ブロックを含む。
【００１１】
更なる技術方案、前記カップ送出装置は前記入替えチャンバの前側に設置され、且つ前記入替えチャンバに連通する前記カップ送出チャンバを含み、前記カップ送出チャンバの前壁には後端が外界に伸びているカップ送出パイプが固定的に設置されており、前記カップ送出パイプの中にはカップ送出パイプチャンバが設置されており、前記カップ送出チャンバの底壁には第四スライド溝が設置されており、前記第四スライド溝の中にはカップ送出スライド棒がスライドできるように設置されており、前記カップ送出スライド棒の後端面にはラックが固定的に設置されており、前記カップ送出チャンバの左右壁の間には第三回転軸が回転できるように設置されており、前記第三回転軸には第二ベルトによって前記第三プーリに連結される第五プーリが固定的に設置されており、前記第三回転軸には前記第五プーリの左側に位置し、且つ前記ラックに噛合する第一扇型歯車が固定的に設置されており、前記カップ送出パイプチャンバの左右壁には第五スライド溝が対称的に設置されており、前記第五スライド溝の中には前記カップ送出チャンバの中に伸びている弾き棒がスライドできるように設置されており、前記弾き棒と前記第五スライド溝の前壁との間が復帰撥条によって連結され、前記弾き棒の前端面には連結棒が固定的に設置されており、左右の前記連結棒の前端が中間棒によって連結され、前記中間棒の下端面には伝動棒が固定的に設置されており、前記伝動棒の下端が前記ラックの上端面に固定的に連結される。
【発明の効果】
【００１２】
本発明の有益な効果は下記の通りである：
【００１３】
本願発明の構造が簡単で、便利に使用され、実現できる功能部分はほとんど機械結構を採用して実現し、安定性が高くて、修理に便利で、企業の購入費用を削減でき、それに、異なったカップスリーブを変換して異なったタイプのカップを適応させ、一機多用を実現し、企業の製品の多様化に有利的である。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【図１】図１は本発明のカップ転写プレス機の全体構成模式図
【図２】図２は図１のＡーＡの構成模式図
【図３】図３は図１のＢーＢの構成模式図
【図４】図４は図３のＣーＣの構成模式図
【図５】図５は図１のＤの構成模式図
【発明を実施するための形態】
【００１５】
図１〜５に示すように、本発明はカップ転写プレス機であり、転写箱１０及び前記転写箱２０に設置されるカップチャンバ４９を含み、前記カップチャンバ４９の中にはカップ送り装置１００が設置されており、前記カップ送り装置１００の中にはカップ５０が置かれ、前記転写箱１０の中には挟みチャンバ１１が設置されており、前記挟みチャンバ１１の中には挟み装置３００が設置されており、前記挟み装置３００の中には上下に運動できるネジ山ブロック５３が設置されており、前記転写箱１０の中には入替えチャンバ４５が設置されており、前記入替えチャンバ４５の中には入替え装置４００が設置されており、前記入替え装置４００の中には前記カップ５０と係合されるカップスリーブ３９が設置されており、前記入替え装置４００の中には前記カップ５０を吸う吸着装置４０が設置されており、前記転写箱１０の中には転写チャンバ４１が設置されており、前記転写チャンバ４１の中には転写装置５００が設置されており、前記転写装置５００は前記入替え装置４００と係合されて前記カップ５０に転写を行うことができ、前記転写箱１０の中には動力チャンバ３７が設置されており、前記動力チャンバ３７の中には動力装置２００が設置されており、前記動力装置２００は前記挟み装置３００と前記入替え装置４００と係合され、前記転写箱１０の中にはカップ送出チャンバ６１が設置されており、前記カップ送出チャンバ６１の中にはカップ送出装置６００が設置されており、前記カップ送出装置６００は前記入替え装置４００と係合されて転写済みの前記カップ５０を前記入替え装置４００から離脱させることができる。
【００１６】
有益なように、前記カップ送り装置１００は前記カップチャンバ４９の左壁にスライドできるように設置されるカップ置き板７５を含み、前記カップ置き板７５の下端面と前記カップチャンバ４９の底壁との間が撥条７６によって固定的に連結され、前記転写箱１０の中には前記カップチャンバ４９の下側に位置する空きチャンバ７９が設置されており、前記空きチャンバ７９の頂壁には第一回転軸７７が回転できるように設置されており、前記第一回転軸７７には第一プーリ７８が固定的に設置されており、前記第一回転軸７７の下端には第一傘歯車８０が固定的に設置されており、前記空きチャンバ７９の底壁のうち上に伸びている壁体の中にはスプライン軸８２が回転できるように設置されており、前記空きチャンバ７９の底壁には前記スプライン軸８２と係合される歯止め８７が設置されており、前記スプライン軸８２は歯止め８７に制限されて前記動力装置２００が反転するときにしか回転しなく、前記スプライン軸８２の左端には前記第一傘歯車８０に噛合する第二傘歯車８１が固定的に設置されており、前記空きチャンバ７９の底壁には復帰棒８４がスライドできるように設置されており、前記復帰棒８４の左端面にはリール８３が回転できるように設置されており、前記リール８３にはワイヤーが周設されており、前記リール８３の左側は前記スプライン軸８２の右側のスプラインと係合され、前記復帰棒８４が上へ伸びており、前記復帰棒８４の左端面には左端が前記カップチャンバ４９に伸びている下切替棒８５が固定的に設置されており、前記カップチャンバ４９の中には前記下切替棒８５の上端面に固定的に連結され、且つ前記カップ置き板７５と係合できる下傾斜ブロック８６が設置されており、前記復帰棒８４の上端の左側が前記カップチャンバ４９の中に伸びており、且つ前記カップ置き板７５と係合でき、前記ワイヤーが上へ伸びて糸巻きチャンバ４８を通して前記カップチャンバ４９の中に伸びて前記カップ置き板７５の上端面に固定的に連結される。
【００１７】
有益なように、前記動力装置２００は前記動力チャンバ３７の頂壁に固定的に設置されるモーター１９を含み、前記モーター１９の下端には主動軸１７が伝動できるように連結され、前記転写箱１０の中には前記動力チャンバ３７の下側に位置する伝動チャンバ１５が設置されており、前記主動軸１７の下側が前記伝動チャンバ１５の中に伸びており、前記動力チャンバ３７の頂壁には係合軸３８が回転できるように設置されており、前記係合軸３８には第二プーリ３３が固定的に設置されており、前記動力チャンバ３７の中には前記主動軸１７に固定的に連結され、且つ第二ベルト９０によって前記第二プーリ３３に連結される第三プーリ１８が設置されており、前記動力チャンバ３７の底壁には一方回転軸３６が回転できるように設置されており、前記一方回転軸３６の上端と前記係合軸３８との間が円盤状ラチェット３２によって係合され、前記伝動チャンバ１５の中には前記一方回転軸３６の下端に固定的に連結される第三傘歯車３５が設置される。
【００１８】
有益なように、前記挟み装置３００は前記挟みチャンバ１１の後壁に左右対称的に設置される第一スライド溝２０を含み、前記第一スライド溝２０の底壁には上端が前記伝動チャンバ１５の中に伸びているリードスクリュー２１が回転できるように設置されており、左右の前記リードスクリュー２１の間は、前記リードスクリュー２１の上端に固定的に設置され、且つ前記伝動チャンバ１５の中に位置するタイミングベルト機構によって係合され、前記主動軸１７の下端が左側の前記リードスクリュー２１の上端に固定的に連結されており、前記第一スライド溝２０の中には前記リードスクリュー２１とネジ山によって係合されるネジ山ブロック５３がスライドできるように設置されており、前記ネジ山ブロック５３の左右端面には中心対称的に係合傾斜ブロック５４が固定的に設置されており、前記挟みチャンバ１１の頂壁には第二スライド溝２３が左右対称的に設置されており、前記第二スライド溝の中にはスライド棒１３がスライドできるように設置されており、前記スライド棒１３のうち互いに近接する一端には係合棒２６が固定的に設置されており、前記スライド棒１３の下端面には上切替棒１２が固定的に設置されており、前記上切替棒１２の相対する端面には上斜めブロック２２が固定的に設置されており、前記スライド棒１３の下端面には左右の前記上切替棒１２の間に位置する下切替棒５２が固定的に設置されており、前記下切替棒５２のうち互いに離れている端面には第一傾斜ブロック２４が固定的に設置され、
左側の前記第二スライド溝２３の左右壁には前記モーター１９に電気的に係合される感応スイッチ１４が固定的に設置されており、前記係合棒２６の中には第三スライド溝２５が設置されており、前記第三スライド溝２５の中には第一スライドブロック２７がスライドできるように設置されており、前記第一スライドブロック２７の中にはスライドチャンバ６０が設置されており、前記ネジ山ブロック５３のうち相対する端面には前記スライドチャンバ６０の中に伸びており、且つ前記スライドチャンバ６０にスライドできるように係合される連動棒５９が固定的に設置されており、前記第一スライドブロック２７の中には前に開口するヒンジ棒スライドチャンバ５８が設置されており、前記ヒンジ棒スライドチャンバ５８の中にはヒンジ棒５５が設置されており、左右の前記ヒンジ棒５５がヒンジ軸によってヒンジで連結される。
【００１９】
有益なように、前記入替え装置４００は前記伝動チャンバ１５の壁体の中に回転できるように設置され、且つ右端が前記入替えチャンバ４５の中に伸びている入替え軸２９を含み、前記伝動チャンバ１５の左壁には第二回転軸１６が回転できるように設置されており、前記第二回転軸１６には前記第三傘歯車３５と噛み合う第四傘歯車３４が固定的に設置されており、前記第二回転軸１６には第三ベルト９３によって前記第一プーリ７８に連結される第四プーリ３１が固定的に設置されており、前記第二回転軸１６の右端には変速ギヤ４３が固定的に設けられ、前記伝動チャンバ１５の中には前記入替え軸２９に固定的に連結され、且つ前記変速ギヤ４３と噛み合う入替え歯車２８が設置されており、前記入替えチャンバ４５の中には前記入替え軸２９の右端に固定的に連結される入替え盤３０が設置されており、前記入替え盤３０の外円面には四つの入替え棒４４が回転できるように設置されており、前記入替え棒４４の一端には前記吸着装置４０が固定的に設置される。
【００２０】
有益なように、前記転写装置５００は前記転写チャンバ４１の右壁に固定的に設置される転写ブロック４２を含む。
【００２１】
有益なように、前記カップ送出装置６００は前記入替えチャンバ４５の前側に設置され、且つ前記入替えチャンバ４５に連通する前記カップ送出チャンバ６１を含み、前記カップ送出チャンバ６１の前壁には後端が外界に伸びているカップ送出パイプ６２が固定的に設置されており、前記カップ送出パイプ６２の中にはカップ送出パイプチャンバ６３が設置されており、前記カップ送出チャンバ６１の底壁には第四スライド溝６８が設置されており、前記第四スライド溝６８の中にはカップ送出スライド棒６７がスライドできるように設置されており、前記カップ送出スライド棒６７の後端面にはラック６６が固定的に設置されており、前記カップ送出チャンバ６１の左右壁の間には第三回転軸６５が回転できるように設置されており、前記第三回転軸６５には第二ベルト９１によって前記第三プーリ１８に連結される第五プーリ７０が固定的に設置されており、前記第三回転軸６５には前記第五プーリ７０の左側に位置し、且つ前記ラック６６に噛合する第一扇型歯車６９が固定的に設置されており、前記カップ送出パイプチャンバ６３の左右壁には第五スライド溝７１が対称的に設置されており、前記第五スライド溝７１の中には前記カップ送出チャンバ６１の中に伸びている弾き棒７２がスライドできるように設置されており、前記弾き棒７２と前記第五スライド溝７１の前壁との間が復帰撥条８８によって連結され、前記弾き棒７２の前端面には連結棒７３が固定的に設置されており、左右の前記連結棒７３の前端が中間棒７４によって連結され、前記中間棒７４の下端面には伝動棒６４が固定的に設置されており、前記伝動棒６４の下端が前記ラック６６の上端面に固定的に連結される。
【００２２】
以下、図１〜５及び上記の説明によって本申請のカップ転写プレス機を具体的に紹介する。
【００２３】
カップを送る過程中に、加工すべきのカップをカップ置き板７５の上端面に置き、モーター１９を始動し、ヒンジ棒５５がカップ５０と係合され、主動軸１７は左側のリードスクリュー２１と、タイミングベルト機構４６と右側のリードスクリュー２１をによって回転し、リードスクリュー２１が回転してネジ山ブロック５３を上昇させて第一スライドブロック２７を上昇連動させ、それによりカップ５０を上昇連動させてカップスリーブ３９と係合し、吸着装置４０が起動してカップ５０を吸い、ネジ山ブロック５３が上昇して指定位置に到着した後、傾斜ブロック５４が上傾斜ブロック２２と係合されて上切替棒１２によってスライド棒１３を連動させて互いに離れさせ、これにより係合棒２６を連動させて互いに離れさせ、これによりカップ５０を外し、左側のスライド棒１３は左側の感応スイッチ１４と係合され、モーター１９が起動して逆方向に回転し、ネジ山ブロック５３は下へ移動して初期位置に到着するときに、傾斜ブロック５４が第一傾斜ブロック２４と係合されて下切替棒５２によってスライド棒１３を連動させて復帰させて右の感応スイッチ１４と係合されてモーター１９を回転させて次の動作を進行する。
【００２４】
入替える時、モーター１９が逆方向に回転する過程中に、入替え軸２９が入替え盤３０を回転連動させて入替え棒４４によって吸着装置とカップスリーブ３９を回転連動させて位置を変え、スプライン軸８２がリール８３を回転連動させて糸を巻いてカップ置き板７５を上昇連動させ、カップ置き板７５がカップ５０を上昇連動させる。
【００２５】
カップ５０は入替えの作用によって転写チャンバ４１の中に回転する時にカップ５０の外円面が転写ブロック４２と当接し回転して転写を行い、転写を終え、モーター１９が正転する過程中に、ラック６６が前へ移動して伝動棒６４と、中間棒７４と、連結棒７３によって、弾き棒７２を前へ移動連動させてカップスリーブ３９をカップ５０から剥離させ、剥離を終えた後に弾き棒７２が復帰撥条８８によって、復帰する。
【００２６】
以上、発明の具体的な実施方法であり、ところが、発明の保護範囲はこれに限らない、創造性労働のない考えた変化や入替えは発明の保護範囲の中に含むべき、だから、発明の保護範囲は特許文献が限定する保護範囲に順するべきである。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
転写箱及び前記転写箱に設置されるカップチャンバを含み、前記カップチャンバの中にはカップ送り装置が設置されており、前記カップ送り装置の中にはカップが置かれ、前記転写箱の中には挟みチャンバが設置されており、前記挟みチャンバの中には挟み装置が設置されており、前記挟み装置の中には上下に運動できるネジ山ブロックが設置されており、前記転写箱の中には入替えチャンバが設置されており、前記入替えチャンバの中には入替え装置が設置されており、前記入替え装置の中には前記カップと係合されるカップスリーブが設置されており、前記入替え装置の中には前記カップを吸う吸着装置が設置されており、前記転写箱の中には転写チャンバが設置されており、前記転写チャンバの中には転写装置が設置されており、前記転写装置は前記入替え装置と係合されて前記カップに転写を行うことができ、前記転写箱の中には動力チャンバが設置されており、前記動力チャンバの中には動力装置が設置されており、前記動力装置は前記挟み装置と前記入替え装置と係合され、前記転写箱の中にはカップ送出チャンバが設置されており、前記カップ送出チャンバの中にはカップ送出装置が設置されており、前記カップ送出装置は前記入替え装置と係合されて転写済みの前記カップを前記入替え装置から離脱させることができ、
前記カップ送り装置は前記カップチャンバの左壁にスライドできるように設置されるカップ置き板を含み、前記カップ置き板の下端面と前記カップチャンバの底壁との間が撥条によって固定的に連結され、前記転写箱の中には前記カップチャンバの下側に位置するチャンバ（７９）が設置されており、前記チャンバ（７９）の頂壁には第一回転軸が回転できるように設置されており、前記第一回転軸には第一プーリが固定的に設置されており、前記第一回転軸の下端には第一傘歯車が固定的に設置されており、前記チャンバ（７９）の底壁のうち上に伸びている壁体の中にはスプライン軸が回転できるように設置されており、前記チャンバ（７９）の底壁には前記スプライン軸と係合される歯止めが設置されており、前記スプライン軸は歯止めに制限されて前記動力装置が反転するときにしか回転しなく、前記スプライン軸の左端には前記第一傘歯車に噛合する第二傘歯車が固定的に設置されており、前記チャンバ（７９）の底壁には復帰棒がスライドできるように設置されており、前記復帰棒の左端面にはリールが回転できるように設置されており、前記リールにはワイヤーが周設されており、前記リールの左側は前記スプライン軸の右側のスプラインと係合され、前記復帰棒が上へ伸びており、前記復帰棒の左端面には左端が前記カップチャンバに伸びている下切替棒が固定的に設置されており、前記カップチャンバの中には前記下切替棒の上端面に固定的に連結され、且つ前記カップ置き板と係合できる下傾斜ブロックが設置されており、前記復帰棒の上端の左側が前記カップチャンバの中に伸びており、且つ前記カップ置き板と係合でき、前記ワイヤーが上へ伸びて糸巻きチャンバを通して前記カップチャンバの中に伸びて前記カップ置き板の上端面に固定的に連結されており、
前記動力装置は前記動力チャンバの頂壁に固定的に設置されるモーターを含み、前記モーターの下端には主動軸が伝動できるように連結され、前記転写箱の中には前記動力チャンバの下側に位置する伝動チャンバが設置されており、前記主動軸の下側が前記伝動チャンバの中に伸びており、前記動力チャンバの頂壁には係合軸が回転できるように設置されており、前記係合軸には第二プーリが固定的に設置されており、前記動力チャンバの中には前記主動軸に固定的に連結され、且つ第二ベルトによって前記第二プーリに連結される第三プーリが設置されており、前記動力チャンバの底壁には一方回転軸が回転できるように設置されており、前記一方回転軸の上端と前記係合軸との間が円盤状ラチェットによって係合され、前記伝動チャンバの中には前記一方回転軸の下端に固定的に連結される第三傘歯車が設置されており、
前記挟み装置は前記挟みチャンバの後壁に左右対称的に設置される第一スライド溝を含み、前記第一スライド溝の底壁には上端が前記伝動チャンバの中に伸びているリードスクリューが回転できるように設置されており、左右の前記リードスクリューの間は、前記リードスクリューの上端に固定的に設置され、且つ前記伝動チャンバの中に位置するタイミングベルト機構によって係合され、前記主動軸の下端が左側の前記リードスクリューの上端に固定的に連結されており、前記第一スライド溝の中には前記リードスクリューとネジ山によって係合されるネジ山ブロックがスライドできるように設置されており、前記ネジ山ブロックの左右端面には中心対称的に係合傾斜ブロックが固定的に設置されており、前記挟みチャンバの頂壁には第二スライド溝が左右対称的に設置されており、前記第二スライド溝の中にはスライド棒がスライドできるように設置されており、前記スライド棒のうち互いに近接する一端には係合棒が固定的に設置されており、前記スライド棒の下端面には上切替棒が固定的に設置されており、前記上切替棒の相対する端面には上斜めブロックが固定的に設置されており、前記スライド棒の下端面には左右の前記上切替棒の間に位置する下切替棒が固定的に設置されており、前記下切替棒のうち互いに離れている端面には第一傾斜ブロックが固定的に設置され、
左側の前記第二スライド溝の左右壁には前記モーターに電気的に係合される感応スイッチが固定的に設置されており、前記係合棒の中には第三スライド溝が設置されており、前記第三スライド溝の中には第一スライドブロックがスライドできるように設置されており、前記第一スライドブロックの中にはスライドチャンバが設置されており、前記ネジ山ブロックのうち相対する端面には前記スライドチャンバの中に伸びており、且つ前記スライドチャンバにスライドできるように係合される連動棒が固定的に設置されており、前記第一スライドブロックの中には前に開口するヒンジ棒スライドチャンバが設置されており、前記ヒンジ棒スライドチャンバの中にはヒンジ棒が設置されており、左右の前記ヒンジ棒がヒンジ軸によってヒンジで連結されており、
前記入替え装置は前記伝動チャンバの壁体の中に回転できるように設置され、且つ右端が前記入替えチャンバの中に伸びている入替え軸を含み、前記伝動チャンバの左壁には第二回転軸が回転できるように設置されており、前記第二回転軸には前記第三傘歯車と噛み合う第四傘歯車が固定的に設置されており、前記第二回転軸には第三ベルトによって前記第一プーリに連結される第四プーリが固定的に設置されており、前記第二回転軸の右端には変速ギヤが固定的に設けられ、前記伝動チャンバの中には前記入替え軸に固定的に連結され、且つ前記変速ギヤと噛み合う入替え歯車が設置されており、前記入替えチャンバの中には前記入替え軸の右端に固定的に連結される入替え盤が設置されており、前記入替え盤の外円面には四つの入替え棒が回転できるように設置されており、前記入替え棒の一端には前記吸着装置が固定的に設置されており、
前記転写装置は前記転写チャンバの右壁に固定的に設置される転写ブロックを含み、
前記カップ送出装置は前記入替えチャンバの前側に設置され、且つ前記入替えチャンバに連通する前記カップ送出チャンバを含み、前記カップ送出チャンバの前壁には後端が外界に伸びているカップ送出パイプが固定的に設置されており、前記カップ送出パイプの中にはカップ送出パイプチャンバが設置されており、前記カップ送出チャンバの底壁には第四スライド溝が設置されており、前記第四スライド溝の中にはカップ送出スライド棒がスライドできるように設置されており、前記カップ送出スライド棒の後端面にはラックが固定的に設置されており、前記カップ送出チャンバの左右壁の間には第三回転軸が回転できるように設置されており、前記第三回転軸には第二ベルトによって前記第三プーリに連結される第五プーリが固定的に設置されており、前記第三回転軸には前記第五プーリの左側に位置し、且つ前記ラックに噛合する第一扇型歯車が固定的に設置されており、前記カップ送出パイプチャンバの左右壁には第五スライド溝が対称的に設置されており、前記第五スライド溝の中には前記カップ送出チャンバの中に伸びている弾き棒がスライドできるように設置されており、前記弾き棒と前記第五スライド溝の前壁との間が復帰撥条によって連結され、前記弾き棒の前端面には連結棒が固定的に設置されており、左右の前記連結棒の前端が中間棒によって連結され、前記中間棒の下端面には伝動棒が固定的に設置されており、前記伝動棒の下端が前記ラックの上端面に固定的に連結されることを特徴とするカップ転写プレス機。
【手続補正２】
【補正対象書類名】明細書
【補正対象項目名】全文
【補正方法】変更
【補正の内容】
【発明の詳細な説明】
【技術分野】
【０００１】
本発明はサイクリングマスクの分野を取り上げて、具体的にはカップ転写プレス機である。
【背景技術】
【０００２】
伝統的なカップ転写プレス機の結構は複雑で、その中には大量な電子部品が使用され、安定性が悪く、修理しにくい、尚、伝統的なカップ転写プレス機は異なったサイズのカップを加工しにくい問題が存在し、上記欠点に対して、本装置を提出した。
【先行技術文献】
【特許文献】
【０００３】
【特許文献１】中国特許出願公開第１０７１８７１９２号明細書
【発明の概要】
【発明が解決しようとする課題】
【０００４】
上記技術の不足に対して、本発明はカップ転写プレス機を提出し、上記欠点を克服できる。
【課題を解決するための手段】
【０００５】
本発明はカップ転写プレス機であり、転写箱及び前記転写箱に設置されるカップチャンバを含み、前記カップチャンバの中にはカップ送り装置が設置されており、前記カップ送り装置の中にはカップが置かれ、前記転写箱の中には挟みチャンバが設置されており、前記挟みチャンバの中には挟み装置が設置されており、前記挟み装置の中には上下に運動できるネジ山ブロックが設置されており、前記転写箱の中には入替えチャンバが設置されており、前記入替えチャンバの中には入替え装置が設置されており、前記入替え装置の中には前記カップと係合されるカップスリーブが設置されており、前記入替え装置の中には前記カップを吸う吸着装置が設置されており、前記転写箱の中には転写チャンバが設置されており、前記転写チャンバの中には転写装置が設置されており、前記転写装置は前記入替え装置と係合されて前記カップに転写を行うことができ、前記転写箱の中には動力チャンバが設置されており、前記動力チャンバの中には動力装置が設置されており、前記動力装置は前記挟み装置と前記入替え装置と係合され、前記転写箱の中にはカップ送出チャンバが設置されており、前記カップ送出チャンバの中にはカップ送出装置が設置されており、前記カップ送出装置は前記入替え装置と係合されて転写済みの前記カップを前記入替え装置から離脱させることができる。
【０００６】
更なる技術方案、前記カップ送り装置は前記カップチャンバの左壁にスライドできるように設置されるカップ置き板を含み、前記カップ置き板の下端面と前記カップチャンバの底壁との間が撥条によって固定的に連結され、前記転写箱の中には前記カップチャンバの下側に位置するチャンバ（７９）が設置されており、前記チャンバ（７９）の頂壁には第一回転軸が回転できるように設置されており、前記第一回転軸には第一プーリが固定的に設置されており、前記第一回転軸の下端には第一傘歯車が固定的に設置されており、前記チャンバ（７９）の底壁のうち上に伸びている壁体の中にはスプライン軸が回転できるように設置されており、前記チャンバ（７９）の底壁には前記スプライン軸と係合される歯止めが設置されており、前記スプライン軸は歯止めに制限されて前記動力装置が反転するときにしか回転しなく、前記スプライン軸の左端には前記第一傘歯車に噛合する第二傘歯車が固定的に設置されており、前記チャンバ（７９）の底壁には復帰棒がスライドできるように設置されており、前記復帰棒の左端面にはリールが回転できるように設置されており、前記リールにはワイヤーが周設されており、前記リールの左側は前記スプライン軸の右側のスプラインと係合され、前記復帰棒が上へ伸びており、前記復帰棒の左端面には左端が前記カップチャンバに伸びている下切替棒が固定的に設置されており、前記カップチャンバの中には前記下切替棒の上端面に固定的に連結され、且つ前記カップ置き板と係合できる下傾斜ブロックが設置されており、前記復帰棒の上端の左側が前記カップチャンバの中に伸びており、且つ前記カップ置き板と係合でき、前記ワイヤーが上へ伸びて糸巻きチャンバを通して前記カップチャンバの中に伸びて前記カップ置き板の上端面に固定的に連結される。
【０００７】
更なる技術方案、前記動力装置は前記動力チャンバの頂壁に固定的に設置されるモーターを含み、前記モーターの下端には主動軸が伝動できるように連結され、前記転写箱の中には前記動力チャンバの下側に位置する伝動チャンバが設置されており、前記主動軸の下側が前記伝動チャンバの中に伸びており、前記動力チャンバの頂壁には係合軸が回転できるように設置されており、前記係合軸には第二プーリが固定的に設置されており、前記動力チャンバの中には前記主動軸に固定的に連結され、且つ第二ベルトによって前記第二プーリに連結される第三プーリが設置されており、前記動力チャンバの底壁には一方回転軸が回転できるように設置されており、前記一方回転軸の上端と前記係合軸との間が円盤状ラチェットによって係合され、前記伝動チャンバの中には前記一方回転軸の下端に固定的に連結される第三傘歯車が設置される。
【０００８】
更なる技術方案、前記挟み装置は前記挟みチャンバの後壁に左右対称的に設置される第一スライド溝を含み、前記第一スライド溝の底壁には上端が前記伝動チャンバの中に伸びているリードスクリューが回転できるように設置されており、左右の前記リードスクリューの間は、前記リードスクリューの上端に固定的に設置され、且つ前記伝動チャンバの中に位置するタイミングベルト機構によって係合され、前記主動軸の下端が左側の前記リードスクリューの上端に固定的に連結されており、前記第一スライド溝の中には前記リードスクリューとネジ山によって係合されるネジ山ブロックがスライドできるように設置されており、前記ネジ山ブロックの左右端面には中心対称的に係合傾斜ブロックが固定的に設置されており、前記挟みチャンバの頂壁には第二スライド溝が左右対称的に設置されており、前記第二スライド溝の中にはスライド棒がスライドできるように設置されており、前記スライド棒のうち互いに近接する一端には係合棒が固定的に設置されており、前記スライド棒の下端面には上切替棒が固定的に設置されており、前記上切替棒の相対する端面には上斜めブロックが固定的に設置されており、前記スライド棒の下端面には左右の前記上切替棒の間に位置する下切替棒が固定的に設置されており、前記下切替棒のうち互いに離れている端面には第一傾斜ブロックが固定的に設置され、
左側の前記第二スライド溝の左右壁には前記モーターに電気的に係合される感応スイッチが固定的に設置されており、前記係合棒の中には第三スライド溝が設置されており、前記第三スライド溝の中には第一スライドブロックがスライドできるように設置されており、前記第一スライドブロックの中にはスライドチャンバが設置されており、前記ネジ山ブロックのうち相対する端面には前記スライドチャンバの中に伸びており、且つ前記スライドチャンバにスライドできるように係合される連動棒が固定的に設置されており、前記第一スライドブロックの中には前に開口するヒンジ棒スライドチャンバが設置されており、前記ヒンジ棒スライドチャンバの中にはヒンジ棒が設置されており、左右の前記ヒンジ棒がヒンジ軸によってヒンジで連結される。
【０００９】
更なる技術方案、前記入替え装置は前記伝動チャンバの壁体の中に回転できるように設置され、且つ右端が前記入替えチャンバの中に伸びている入替え軸を含み、前記伝動チャンバの左壁には第二回転軸が回転できるように設置されており、前記第二回転軸には前記第三傘歯車と噛み合う第四傘歯車が固定的に設置されており、前記第二回転軸には第三ベルトによって前記第一プーリに連結される第四プーリが固定的に設置されており、前記第二回転軸の右端には変速ギヤが固定的に設けられ、前記伝動チャンバの中には前記入替え軸に固定的に連結され、且つ前記変速ギヤと噛み合う入替え歯車が設置されており、前記入替えチャンバの中には前記入替え軸の右端に固定的に連結される入替え盤が設置されており、前記入替え盤の外円面には四つの入替え棒が回転できるように設置されており、前記入替え棒の一端には前記吸着装置が固定的に設置される。
【００１０】
更なる技術方案、前記転写装置は前記転写チャンバの右壁に固定的に設置される転写ブロックを含む。
【００１１】
更なる技術方案、前記カップ送出装置は前記入替えチャンバの前側に設置され、且つ前記入替えチャンバに連通する前記カップ送出チャンバを含み、前記カップ送出チャンバの前壁には後端が外界に伸びているカップ送出パイプが固定的に設置されており、前記カップ送出パイプの中にはカップ送出パイプチャンバが設置されており、前記カップ送出チャンバの底壁には第四スライド溝が設置されており、前記第四スライド溝の中にはカップ送出スライド棒がスライドできるように設置されており、前記カップ送出スライド棒の後端面にはラックが固定的に設置されており、前記カップ送出チャンバの左右壁の間には第三回転軸が回転できるように設置されており、前記第三回転軸には第二ベルトによって前記第三プーリに連結される第五プーリが固定的に設置されており、前記第三回転軸には前記第五プーリの左側に位置し、且つ前記ラックに噛合する第一扇型歯車が固定的に設置されており、前記カップ送出パイプチャンバの左右壁には第五スライド溝が対称的に設置されており、前記第五スライド溝の中には前記カップ送出チャンバの中に伸びている弾き棒がスライドできるように設置されており、前記弾き棒と前記第五スライド溝の前壁との間が復帰撥条によって連結され、前記弾き棒の前端面には連結棒が固定的に設置されており、左右の前記連結棒の前端が中間棒によって連結され、前記中間棒の下端面には伝動棒が固定的に設置されており、前記伝動棒の下端が前記ラックの上端面に固定的に連結される。
【発明の効果】
【００１２】
本発明の有益な効果は下記の通りである：
【００１３】
本願発明の構造が簡単で、便利に使用され、実現できる功能部分はほとんど機械結構を採用して実現し、安定性が高くて、修理に便利で、企業の購入費用を削減でき、それに、異なったカップスリーブを変換して異なったタイプのカップを適応させ、一機多用を実現し、企業の製品の多様化に有利的である。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【図１】図１は本発明のカップ転写プレス機の全体構成模式図
【図２】図２は図１のＡーＡの構成模式図
【図３】図３は図１のＢーＢの構成模式図
【図４】図４は図３のＣーＣの構成模式図
【図５】図５は図１のＤの構成模式図
【発明を実施するための形態】
【００１５】
図１〜５に示すように、本発明はカップ転写プレス機であり、転写箱１０及び前記転写箱２０に設置されるカップチャンバ４９を含み、前記カップチャンバ４９の中にはカップ送り装置１００が設置されており、前記カップ送り装置１００の中にはカップ５０が置かれ、前記転写箱１０の中には挟みチャンバ１１が設置されており、前記挟みチャンバ１１の中には挟み装置３００が設置されており、前記挟み装置３００の中には上下に運動できるネジ山ブロック５３が設置されており、前記転写箱１０の中には入替えチャンバ４５が設置されており、前記入替えチャンバ４５の中には入替え装置４００が設置されており、前記入替え装置４００の中には前記カップ５０と係合されるカップスリーブ３９が設置されており、前記入替え装置４００の中には前記カップ５０を吸う吸着装置４０が設置されており、前記転写箱１０の中には転写チャンバ４１が設置されており、前記転写チャンバ４１の中には転写装置５００が設置されており、前記転写装置５００は前記入替え装置４００と係合されて前記カップ５０に転写を行うことができ、前記転写箱１０の中には動力チャンバ３７が設置されており、前記動力チャンバ３７の中には動力装置２００が設置されており、前記動力装置２００は前記挟み装置３００と前記入替え装置４００と係合され、前記転写箱１０の中にはカップ送出チャンバ６１が設置されており、前記カップ送出チャンバ６１の中にはカップ送出装置６００が設置されており、前記カップ送出装置６００は前記入替え装置４００と係合されて転写済みの前記カップ５０を前記入替え装置４００から離脱させることができる。
【００１６】
有益なように、前記カップ送り装置１００は前記カップチャンバ４９の左壁にスライドできるように設置されるカップ置き板７５を含み、前記カップ置き板７５の下端面と前記カップチャンバ４９の底壁との間が撥条７６によって固定的に連結され、前記転写箱１０の中には前記カップチャンバ４９の下側に位置するチャンバ７９が設置されており、前記チャンバ７９の頂壁には第一回転軸７７が回転できるように設置されており、前記第一回転軸７７には第一プーリ７８が固定的に設置されており、前記第一回転軸７７の下端には第一傘歯車８０が固定的に設置されており、前記チャンバ７９の底壁のうち上に伸びている壁体の中にはスプライン軸８２が回転できるように設置されており、前記チャンバ７９の底壁には前記スプライン軸８２と係合される歯止め８７が設置されており、前記スプライン軸８２は歯止め８７に制限されて前記動力装置２００が反転するときにしか回転しなく、前記スプライン軸８２の左端には前記第一傘歯車８０に噛合する第二傘歯車８１が固定的に設置されており、前記チャンバ７９の底壁には復帰棒８４がスライドできるように設置されており、前記復帰棒８４の左端面にはリール８３が回転できるように設置されており、前記リール８３にはワイヤーが周設されており、前記リール８３の左側は前記スプライン軸８２の右側のスプラインと係合され、前記復帰棒８４が上へ伸びており、前記復帰棒８４の左端面には左端が前記カップチャンバ４９に伸びている下切替棒８５が固定的に設置されており、前記カップチャンバ４９の中には前記下切替棒８５の上端面に固定的に連結され、且つ前記カップ置き板７５と係合できる下傾斜ブロック８６が設置されており、前記復帰棒８４の上端の左側が前記カップチャンバ４９の中に伸びており、且つ前記カップ置き板７５と係合でき、前記ワイヤーが上へ伸びて糸巻きチャンバ４８を通して前記カップチャンバ４９の中に伸びて前記カップ置き板７５の上端面に固定的に連結される。
【００１７】
有益なように、前記動力装置２００は前記動力チャンバ３７の頂壁に固定的に設置されるモーター１９を含み、前記モーター１９の下端には主動軸１７が伝動できるように連結され、前記転写箱１０の中には前記動力チャンバ３７の下側に位置する伝動チャンバ１５が設置されており、前記主動軸１７の下側が前記伝動チャンバ１５の中に伸びており、前記動力チャンバ３７の頂壁には係合軸３８が回転できるように設置されており、前記係合軸３８には第二プーリ３３が固定的に設置されており、前記動力チャンバ３７の中には前記主動軸１７に固定的に連結され、且つ第二ベルト９０によって前記第二プーリ３３に連結される第三プーリ１８が設置されており、前記動力チャンバ３７の底壁には一方回転軸３６が回転できるように設置されており、前記一方回転軸３６の上端と前記係合軸３８との間が円盤状ラチェット３２によって係合され、前記伝動チャンバ１５の中には前記一方回転軸３６の下端に固定的に連結される第三傘歯車３５が設置される。
【００１８】
有益なように、前記挟み装置３００は前記挟みチャンバ１１の後壁に左右対称的に設置される第一スライド溝２０を含み、前記第一スライド溝２０の底壁には上端が前記伝動チャンバ１５の中に伸びているリードスクリュー２１が回転できるように設置されており、左右の前記リードスクリュー２１の間は、前記リードスクリュー２１の上端に固定的に設置され、且つ前記伝動チャンバ１５の中に位置するタイミングベルト機構によって係合され、前記主動軸１７の下端が左側の前記リードスクリュー２１の上端に固定的に連結されており、前記第一スライド溝２０の中には前記リードスクリュー２１とネジ山によって係合されるネジ山ブロック５３がスライドできるように設置されており、前記ネジ山ブロック５３の左右端面には中心対称的に係合傾斜ブロック５４が固定的に設置されており、前記挟みチャンバ１１の頂壁には第二スライド溝２３が左右対称的に設置されており、前記第二スライド溝の中にはスライド棒１３がスライドできるように設置されており、前記スライド棒１３のうち互いに近接する一端には係合棒２６が固定的に設置されており、前記スライド棒１３の下端面には上切替棒１２が固定的に設置されており、前記上切替棒１２の相対する端面には上斜めブロック２２が固定的に設置されており、前記スライド棒１３の下端面には左右の前記上切替棒１２の間に位置する下切替棒５２が固定的に設置されており、前記下切替棒５２のうち互いに離れている端面には第一傾斜ブロック２４が固定的に設置され、
左側の前記第二スライド溝２３の左右壁には前記モーター１９に電気的に係合される感応スイッチ１４が固定的に設置されており、前記係合棒２６の中には第三スライド溝２５が設置されており、前記第三スライド溝２５の中には第一スライドブロック２７がスライドできるように設置されており、前記第一スライドブロック２７の中にはスライドチャンバ６０が設置されており、前記ネジ山ブロック５３のうち相対する端面には前記スライドチャンバ６０の中に伸びており、且つ前記スライドチャンバ６０にスライドできるように係合される連動棒５９が固定的に設置されており、前記第一スライドブロック２７の中には前に開口するヒンジ棒スライドチャンバ５８が設置されており、前記ヒンジ棒スライドチャンバ５８の中にはヒンジ棒５５が設置されており、左右の前記ヒンジ棒５５がヒンジ軸によってヒンジで連結される。
【００１９】
有益なように、前記入替え装置４００は前記伝動チャンバ１５の壁体の中に回転できるように設置され、且つ右端が前記入替えチャンバ４５の中に伸びている入替え軸２９を含み、前記伝動チャンバ１５の左壁には第二回転軸１６が回転できるように設置されており、前記第二回転軸１６には前記第三傘歯車３５と噛み合う第四傘歯車３４が固定的に設置されており、前記第二回転軸１６には第三ベルト９３によって前記第一プーリ７８に連結される第四プーリ３１が固定的に設置されており、前記第二回転軸１６の右端には変速ギヤ４３が固定的に設けられ、前記伝動チャンバ１５の中には前記入替え軸２９に固定的に連結され、且つ前記変速ギヤ４３と噛み合う入替え歯車２８が設置されており、前記入替えチャンバ４５の中には前記入替え軸２９の右端に固定的に連結される入替え盤３０が設置されており、前記入替え盤３０の外円面には四つの入替え棒４４が回転できるように設置されており、前記入替え棒４４の一端には前記吸着装置４０が固定的に設置される。
【００２０】
有益なように、前記転写装置５００は前記転写チャンバ４１の右壁に固定的に設置される転写ブロック４２を含む。
【００２１】
有益なように、前記カップ送出装置６００は前記入替えチャンバ４５の前側に設置され、且つ前記入替えチャンバ４５に連通する前記カップ送出チャンバ６１を含み、前記カップ送出チャンバ６１の前壁には後端が外界に伸びているカップ送出パイプ６２が固定的に設置されており、前記カップ送出パイプ６２の中にはカップ送出パイプチャンバ６３が設置されており、前記カップ送出チャンバ６１の底壁には第四スライド溝６８が設置されており、前記第四スライド溝６８の中にはカップ送出スライド棒６７がスライドできるように設置されており、前記カップ送出スライド棒６７の後端面にはラック６６が固定的に設置されており、前記カップ送出チャンバ６１の左右壁の間には第三回転軸６５が回転できるように設置されており、前記第三回転軸６５には第二ベルト９１によって前記第三プーリ１８に連結される第五プーリ７０が固定的に設置されており、前記第三回転軸６５には前記第五プーリ７０の左側に位置し、且つ前記ラック６６に噛合する第一扇型歯車６９が固定的に設置されており、前記カップ送出パイプチャンバ６３の左右壁には第五スライド溝７１が対称的に設置されており、前記第五スライド溝７１の中には前記カップ送出チャンバ６１の中に伸びている弾き棒７２がスライドできるように設置されており、前記弾き棒７２と前記第五スライド溝７１の前壁との間が復帰撥条８８によって連結され、前記弾き棒７２の前端面には連結棒７３が固定的に設置されており、左右の前記連結棒７３の前端が中間棒７４によって連結され、前記中間棒７４の下端面には伝動棒６４が固定的に設置されており、前記伝動棒６４の下端が前記ラック６６の上端面に固定的に連結される。
【００２２】
以下、図１〜５及び上記の説明によって本申請のカップ転写プレス機を具体的に紹介する。
【００２３】
カップを送る過程中に、加工すべきのカップをカップ置き板７５の上端面に置き、モーター１９を始動し、ヒンジ棒５５がカップ５０と係合され、主動軸１７は左側のリードスクリュー２１と、タイミングベルト機構４６と右側のリードスクリュー２１をによって回転し、リードスクリュー２１が回転してネジ山ブロック５３を上昇させて第一スライドブロック２７を上昇連動させ、それによりカップ５０を上昇連動させてカップスリーブ３９と係合し、吸着装置４０が起動してカップ５０を吸い、ネジ山ブロック５３が上昇して指定位置に到着した後、傾斜ブロック５４が上傾斜ブロック２２と係合されて上切替棒１２によってスライド棒１３を連動させて互いに離れさせ、これにより係合棒２６を連動させて互いに離れさせ、これによりカップ５０を外し、左側のスライド棒１３は左側の感応スイッチ１４と係合され、モーター１９が起動して逆方向に回転し、ネジ山ブロック５３は下へ移動して初期位置に到着するときに、傾斜ブロック５４が第一傾斜ブロック２４と係合されて下切替棒５２によってスライド棒１３を連動させて復帰させて右の感応スイッチ１４と係合されてモーター１９を回転させて次の動作を進行する。
【００２４】
入替える時、モーター１９が逆方向に回転する過程中に、入替え軸２９が入替え盤３０を回転連動させて入替え棒４４によって吸着装置とカップスリーブ３９を回転連動させて位置を変え、スプライン軸８２がリール８３を回転連動させて糸を巻いてカップ置き板７５を上昇連動させ、カップ置き板７５がカップ５０を上昇連動させる。
【００２５】
カップ５０は入替えの作用によって転写チャンバ４１の中に回転する時にカップ５０の外円面が転写ブロック４２と当接し回転して転写を行い、転写を終え、モーター１９が正転する過程中に、ラック６６が前へ移動して伝動棒６４と、中間棒７４と、連結棒７３によって、弾き棒７２を前へ移動連動させてカップスリーブ３９をカップ５０から剥離させ、剥離を終えた後に弾き棒７２が復帰撥条８８によって、復帰する。
【００２６】
以上、発明の具体的な実施方法であり、ところが、発明の保護範囲はこれに限らない、創造性労働のない考えた変化や入替えは発明の保護範囲の中に含むべき、だから、発明の保護範囲は特許文献が限定する保護範囲に順するべきである。